(57)【要約】【課題】第一に物品同士が互いに着脱可能に連結されることを可能にするだけでなく、第二に物品同士が互いに締め付けられるのも可能にするファスナー装置を提供する。【解決手段】ファスナー装置１は、第１のファスナー部位２および第２のファスナー部位３を備える。第１のファスナー部位２及び第２のファスナー部位３は、閉方向Ｘに沿って互いに取り付けられることが可能で、閉位置にて互いに保持されて、かつ、ファスナー装置１を開くように互いに切離し可能である。第２のファスナー部位３は、引張エレメント４が配されることが可能な巻回しエレメント３５を含む。巻回しエレメント３５は、引張エレメント４を当該巻回しエレメント３５に巻取方向Ｖで巻き付けるように、第１のファスナー部位２に対して回転可能であることを特徴とする。【選択図】図１Ａ
2020508766.tif 000002
【特許請求の範囲】
【請求項１】
ファスナー装置（１）であって、
閉方向（Ｘ）に沿って互いに取り付けられることが可能で、閉位置にて互いに保持されて、かつ、当該ファスナー装置（１）を開くように互いに切離し可能である、第１のファスナー部位（２）及び第２のファスナー部位（３）、
を備える、ファスナー装置（１）において、
前記第２のファスナー部位（３）は、引張エレメント（４）が配されることが可能な巻回しエレメント（３５）を含み、当該巻回しエレメント（３５）は、前記引張エレメント（４）を当該巻回しエレメント（３５）に巻取方向（Ｖ）で巻き付けるように、前記第１のファスナー部位（２）に対して回転可能であることを特徴とする、ファスナー装置（１）。
【請求項２】
請求項１に記載のファスナー装置（１）において、前記巻回しエレメント（３５）が、前記第１のファスナー部位（２）に対して前記閉方向（Ｘ）周りに回転可能であることを特徴とする、ファスナー装置（１）。
【請求項３】
請求項１または２に記載のファスナー装置（１）において、前記巻回しエレメント（３５）が、前記閉位置にて、前記第１のファスナー部位（２）に対して回転可能であることを特徴とする、ファスナー装置（１）。
【請求項４】
請求項１から３のいずれか一項に記載のファスナー装置（１）において、前記巻回しエレメント（３５）が、前記閉位置にて、前記巻取方向（Ｖ）へは前記第１のファスナー部位（２）に対して回転可能である一方で前記巻取方向（Ｖ）の反対方向へは前記第１のファスナー部位（２）に対して回転可能でないことを特徴とする、ファスナー装置（１）。
【請求項５】
請求項１または２に記載のファスナー装置（１）において、前記巻回しエレメント（３５）が、前記閉位置にて、前記第１のファスナー部位（２）に対して回転可能でないことを特徴とする、ファスナー装置（１）。
【請求項６】
請求項１から５のいずれか一項に記載のファスナー装置（１）において、前記巻回しエレメント（３５）が歯部手段（３５１）を有しており、当該歯部手段（３５１）は、前記閉位置にて、前記第１のファスナー部位（２）の歯部手段（２５）と係合することを特徴とする、ファスナー装置（１）。
【請求項７】
請求項６に記載のファスナー装置（１）において、前記巻回しエレメント（３５）の前記歯部手段（３５１）が、前記閉位置にて、前記巻取方向（Ｖ）へは前記第１のファスナー部位（２）の前記歯部手段（２５）に対して動くことが可能である一方で、前記巻取方向（Ｖ）の反対方向への動きについてはロックされていることを特徴とする、ファスナー装置（１）。
【請求項８】
請求項６または７に記載のファスナー装置（１）において、少なくとも一つの前記歯部手段（３５１）が、前記巻取方向（Ｖ）への前記巻回しエレメント（３５）の回転時に前記巻取方向（Ｖ）を横切るようにして脇へと追いやられることが可能な、少なくとも１つの歯部エレメント（２５０）を有していることを特徴とする、ファスナー装置（１）。
【請求項９】
請求項１から８のいずれか一項に記載のファスナー装置（１）において、前記第１のファスナー部位（２）及び前記第２のファスナー部位（３）が、前記閉位置にて、当該ファスナー部位（２，３）同士を前記閉方向（Ｘ）に抗して互いに保持するように互いに機械的に拘束されていることを特徴とする、ファスナー装置（１）。
【請求項１０】
請求項９に記載のファスナー装置（１）において、一方の前記ファスナー部位（２，３）が、少なくとも１つの可動なデテントエレメント（３７１）を有するデテント手段（３７）を含み、当該少なくとも１つの可動なデテントエレメント（３７１）は、拘束位置にて、他方のファスナー部位（３，２）のデテント凹部（２０３）に係合することにより前記ファスナー部位（２，３）同士を前記閉方向（Ｘ）に抗して互いに保持することを特徴とする、ファスナー装置（１）。
【請求項１１】
請求項１０に記載のファスナー装置（１）において、前記デテント手段（３７）が、前記ファスナー部位（２，３）の取付時に前記拘束位置へと自動的に移行することを特徴とする、ファスナー装置（１）。
【請求項１２】
請求項１０または１１に記載のファスナー装置（１）において、調節可能な前記少なくとも１つのデテントエレメント（３７１）が、前記拘束位置の方向へとばね予圧されていることを特徴とする、ファスナー装置（１）。
【請求項１３】
請求項１０から１２のいずれか一項に記載のファスナー装置（１）において、前記デテント手段（３７）が、前記少なくとも１つのデテントエレメント（３７１）を前記デテント凹部（２０３）から脱係合させるように作動されることが可能である操作エレメント（３７５）を有していることを特徴とする、ファスナー装置（１）。
【請求項１４】
請求項１３に記載のファスナー装置（１）において、前記操作エレメント（３７５）が、乗上げ体（３７６）を有しており、当該乗上げ体（３７６）は、前記操作エレメント（３７５）が作動されると、前記少なくとも１つのデテントエレメント（３７１）を前記拘束位置の方向へと予圧する予圧エレメント（３７３）における乗上げ体（３７２）に乗上げることによって前記少なくとも１つのデテントエレメント（３７１）を調節するように構成されていることを特徴とする、ファスナー装置（１）。
【請求項１５】
請求項１から１４のいずれか一項に記載のファスナー装置（１）において、一方の前記ファスナー部位（２，３）が円筒カラー（２０１）を有しており、当該円筒カラー（２０１）は、前記ファスナー部位（２，３）同士の回転可能な取付けのために他方のファスナー部位（３，２）内に係合することを特徴とする、ファスナー装置（１）。
【請求項１６】
請求項１から１５のいずれか一項に記載のファスナー装置（１）において、前記第２のファスナー部位（３）が、前記閉位置にて前記第１のファスナー部位（２）に配置されるハウジングエレメント（３０）を含み、当該ハウジングエレメント（３０）に、前記巻回しエレメント（３５）が回転可能に取り付けられていることを特徴とする、ファスナー装置（１）。
【請求項１７】
請求項１６に記載のファスナー装置（１）において、前記第２のファスナー部位（３）が、ロックアセンブリを含み、当該ロックアセンブリは、ロック状態では前記巻回しエレメント（３５）を、当該巻回しエレメント（３５）が前記巻取方向（Ｖ）へは前記ハウジングエレメント（３０）に対して回転可能である一方で前記巻取方向（Ｖ）の反対方向へは前記ハウジングエレメント（３０）に対して回転可能でないようにロックすることを特徴とする、ファスナー装置（１）。
【請求項１８】
請求項１７に記載のファスナー装置（１）において、前記ロックアセンブリは、前記巻回しエレメント（３５）が前記巻取方向（Ｖ）の反対方向へと前記ハウジングエレメント（３０）に対して回転可能となるように、前記ロック状態からロック解除されることが可能であることを特徴とする、ファスナー装置（１）。
【請求項１９】
請求項１７または１８に記載のファスナー装置（１）において、前記ロックアセンブリが、当該ファスナー装置（１）の開動作時に自動的にロック解除されることを特徴とする、ファスナー装置（１）。
【請求項２０】
請求項１７から１９のいずれか一項に記載のファスナー装置（１）において、前記ロックアセンブリが、前記ハウジングエレメント（３０）上に回転可能に配置された作動エレメント（３４）を含むことを特徴とする、ファスナー装置（１）。
【請求項２１】
請求項２０に記載のファスナー装置（１）において、前記ハウジングエレメント（３０）と前記作動エレメント（３４）とは、当該作動エレメント（３４）が前記巻取方向（Ｖ）へは当該ハウジングエレメント（３０）に対して回転可能である一方で、前記巻取方向（Ｖ）の反対方向へは当該ハウジングエレメント（３０）に対して回転可能でないように、フリーホイール手段によって動作可能に連結されていることを特徴とする、ファスナー装置（１）。
【請求項２２】
請求項２１に記載のファスナー装置（１）において、前記フリーホイール手段が、ハウジングエレメント（３０）及び作動エレメント（３４）のうちの一方における歯部（３０２）と、ハウジングエレメント（３０）及び作動エレメント（３４）のうちの他方における少なくとも１つの調節可能なロックエレメント（３４３）とにより形成されていることを特徴とする、ファスナー装置（１）。
【請求項２３】
請求項２０から２２のいずれか一項に記載のファスナー装置（１）において、前記作動エレメント（３４）が第１の歯部手段（３４１）を有しており、前記巻回しエレメント（３５）が第２の歯部手段（３５１）を有していることを特徴とする、ファスナー装置（１）。
【請求項２４】
請求項２３に記載のファスナー装置（１）において、前記作動エレメント（３４）が、前記第１の歯部手段（３４１）と前記第２の歯部手段（３５１）とを係合又は脱係合させるように前記ハウジングエレメント（３０）に対して軸方向に調節可能であることを特徴とする、ファスナー装置（１）。
【請求項２５】
請求項１６から２４のいずれか一項に記載のファスナー装置（１）において、前記第１のファスナー部位（２）が少なくとも１つの第１のアンダーカットエレメント（２１，２２）を含み、前記第２のファスナー部位（３）の前記ハウジングエレメント（３０）が少なくとも１つの第２のアンダーカットエレメント（３１，３２）を有しており、前記少なくとも１つの第１のアンダーカットエレメント（２１，２２）と前記少なくとも１つの第２のアンダーカットエレメント（３１，３２）とは、前記ファスナー部位（２，３）の取付時に、当該ファスナー部位（２，３）同士が前記閉位置にて前記閉方向（Ｘ）に抗して互いに保持されるように互いに係合することを特徴とする、ファスナー装置（１）。
【請求項２６】
請求項２５に記載のファスナー装置（１）において、少なくとも２つの第１のアンダーカットエレメント（２１，２２）が、前記第１のファスナー部位（２）の本体部（２０）において前記閉方向（Ｘ）を横切る方向に互いにオフセットして配置されており、および／または、少なくとも２つの第２のアンダーカットエレメント（３１，３２）が、前記第２のファスナー部位（３）の前記ハウジングエレメント（３０）において前記閉方向（Ｘ）を横切る方向に互いにオフセットして配置されていることを特徴とする、ファスナー装置（１）。
【請求項２７】
請求項２５または２６に記載のファスナー装置（１）において、前記少なくとも１つの第１のアンダーカットエレメント（２１，２２）および／または前記少なくとも１つの第２のアンダーカットエレメント（３１，３２）が、前記閉方向（Ｘ）を横切る平面視で円弧状又はＶ字状であることを特徴とする、ファスナー装置（１）。
【請求項２８】
請求項２５から２７のいずれか一項に記載のファスナー装置（１）において、一方の前記ファスナー部位（２，３）が、前記ファスナー部位（２，３）の前記閉位置にて前記少なくとも１つの第１のアンダーカットエレメント（２１；２２）と前記少なくとも１つの第２のアンダーカットエレメント（３１，３２）との係合を保護するブロッキングエレメント（２４）を含むことを特徴とする、ファスナー装置（１）。
【請求項２９】
請求項２８に記載のファスナー装置（１）において、前記ブロッキングエレメント（２４）は、前記ファスナー部位（２，３）の前記閉位置での前記少なくとも１つの第１のアンダーカットエレメント（２１，２２）と前記少なくとも１つの第２のアンダーカットエレメント（３１，３２）との係合を保護するブロッキング位置にて、当該少なくとも１つの第１のアンダーカットエレメント（２１，２２）と当該少なくとも１つの第２のアンダーカットエレメント（３１，３２）とが係合状態で保持されるように、他方のファスナー部位（２，３）の部品に面していることを特徴とする、ファスナー装置（１）。
【請求項３０】
請求項２９に記載のファスナー装置（１）において、前記ブロッキングエレメント（２４）が、前記ブロッキング位置の方向へとばね予圧されていることを特徴とする、ファスナー装置（１）。
【請求項３１】
請求項２９または３０に記載のファスナー装置（１）において、前記ブロッキングエレメント（２４）が、当該ファスナー装置（１）の開動作のために前記ブロッキング位置外へと調節可能であることを特徴とする、ファスナー装置（１）。
【請求項３２】
請求項２９から３１のいずれか一項に記載のファスナー装置（１）において、前記他方のファスナー部位（２，３）の前記部品が、前記ブロッキングエレメント（２４）のブロッキング作用を解消するように調節可能であることを特徴とする、ファスナー装置（１）。
【請求項３３】
請求項１から３２のいずれか一項に記載のファスナー装置（１）において、前記第１のファスナー部位（２）及び前記第２のファスナー部位（３）はそれぞれ、当該ファスナー部位（２，３）同士の取付時に磁気吸引力を与える少なくとも１つの磁石エレメント（２３，３３）を含むことを特徴とする、ファスナー装置（１）。
【発明の詳細な説明】
【技術分野】
【０００１】
本発明は、請求項１の前提部に記載されているファスナー装置に関する。
【背景技術】
【０００２】
この種のファスナー装置は、第１のファスナー部位および第２のファスナー部位を備える。これら第１のファスナー部位及び第２のファスナー部位は、閉方向に沿って互いに取り付けられることが可能で、閉位置にて互いに保持されて、かつ、ファスナー装置を開くように互いに切離し可能とされる。
【０００３】
この種のファスナー装置は、一般的に、２つの部分を互いに連結する役割を果たす。例えば、この種のファスナー装置は、例えばバッグ、リュックサック等の入れ物用のファスナーを提供し得る。しかしながら、この種のファスナー装置は、例えばスポーツシューズ等の靴用のファスナー等の役割を果たすこともある。より一般的に述べると、このファスナー装置は、荷重支持作用を有する任意の２つの物品同士を連結する役割を果たし得る。
【０００４】
ここで、この種のファスナー装置は、２つの部分を着脱可能に互いに連結するのに使用可能であるだけでなく締付けも可能にするものであることが望ましい場合がある。例えば、リュックサック用のファスナーの場合や靴用のファスナーの場合には、第一に部分同士が互いに取り付けられることが可能であるだけでなく、第二に部分同士が互いに締め付けられることも可能であるのが望ましくあり得る。
【０００５】
例えば特許文献１には、巻回しエレメントに巻き付けられることが可能な引張エレメントを備える締付け装置が記載されている。
【先行技術文献】
【特許文献】
【０００６】
【特許文献１】国際公開第２０１５／００６６１６号パンフレット
【発明の概要】
【発明が解決しようとする課題】
【０００７】
本発明の目的の一つは、第一に物品同士が互いに着脱可能に連結されることを可能にするだけでなく、第二に当該物品同士が互いに締め付けられるのも可能にするファスナー装置を提供することである。
【課題を解決するための手段】
【０００８】
上記の目的は、請求項１の構成を備える主題により達成される。
【０００９】
それによれば、第２のファスナー部位は、引張エレメント(Zugelement)が配されることが可能な巻回しエレメント（Wickelelement）を含み、当該巻回しエレメントは、前記引張エレメントを当該巻回しエレメントに巻取方向で巻き付けるように、第１のファスナー部位に対して回転可能である。
【００１０】
提案するファスナー装置では、２つの部分を互いに着脱可能に連結するファスナーと、締付け装置とが互いに組み合わされている。第一に、当該ファスナー装置は、閉方向に沿って互いに取り付けられることが可能で且つ閉位置にて互いに保持される２つのファスナー部位を備えている。当該ファスナー部位同士が互いに保持されることにより、当該ファスナー部位に振り当てられた物品同士が当該ファスナー部位によって互いに連結される。また、当該ファスナー部位同士が互いに分離されることで、これらの物品同士が再び互いに切り離されることも可能である。第二に、前記第２のファスナー部位は、引張エレメントが配されることが可能な巻回しエレメントを含む。当該巻回しエレメントは、例えばシリンダー状のローラの形態を有し得て、かつ、前記引張エレメントが収容されることが可能な巻回し溝（ワイデイングチャンネル）を保持し得る。これにより、前記巻回しエレメントを回転させることで、前記引張エレメントを巻き取って且つこれによって当該引張エレメントを締めることができる。
【００１１】
前記第１のファスナー部位は第１の物品に設置されたものであり得て、前記第２のファスナー部位は前記引張エレメントを介して第２の物品に接続されたものであり得る。前記引張エレメントが前記巻回しエレメントに巻き付けられることで、前記第１の物品と前記第２の物品とが互いに締め付けられることができる。
前記引張エレメントは、例えば、引張力を伝えるため（だけ）に適した可撓性のエレメントであり得る。前記引張エレメントは、例えばケーブル、ストラップ、バンド、ベルト、チェーン、（導電）ケーブル等であり得る。
【００１２】
前記引張エレメントは、例えば、２つの端部で前記巻回しエレメントに固定されたものであり得る。この場合の前記引張エレメントは、前記巻回しエレメントの回転により、当該引張エレメントの２つの端部と共に前記巻回しエレメントに巻き付けられ得る。しかしながら、前記引張エレメントの１つの端部のみが前記巻回しエレメントに固定されたものとすることも考えられ得て且つ可能であり、この場合には当該１つの端部のみが、前記巻回しエレメントの回転によって巻き取られる。また、前記引張エレメントを前記巻回しエレメントの回転により巻き取るのに、当該引張エレメントの内側部分が当該巻回しエレメントに配されるものとすることも考えられ得て且つ可能である。また、複数の相異なる引張エレメントが前記巻回しエレメントに配されるものとし、当該複数の相異なる引張エレメントを前記巻回しエレメントによって巻取り可能とすることも考えられ得る。
【００１３】
前記巻回しエレメントは、前記引張エレメントを巻き取るように巻取方向へと前記第１のファスナー部位に対して回転可能である。このとき、好ましくは、前記巻取方向が前記閉方向周りの向きである。これにより、前記巻回しエレメントは前記第１のファスナー部位に対して前記閉方向周りに回転可能となる。このようにして、前記ファスナー部位同士が前記閉方向に沿って互いに取り付けられることが可能であると共に、前記巻回しエレメントが、前記ファスナー部位に振り当てられた物品同士を互いに締め付けるように前記閉方向周りに回転されることが可能となる。
【００１４】
一改良形態では、前記巻回しエレメントが前記閉位置にて、前記第１のファスナー部位に対して回転可能であり得る。このとき、好ましくは、前記巻回しエレメントが前記閉位置にて、前記巻取方向へは前記第１のファスナー部位に対して回転可能である一方で前記巻取方向の反対方向へは前記第１のファスナー部位に対して回転可能でない。これにより、前記ファスナー部位同士が互いに取り付けられているときに前記引張エレメントが前記巻回しエレメントに巻き付けられることが可能となる。前記引張エレメントが前記巻回しエレメントに巻き付けられた後も、前記巻回しエレメントは自身が取った位置に維持される。前記巻取方向の反対方向への前記引張エレメントを巻き出す逆行運動については、ロックされている。
【００１５】
他の改良形態では、対照的に、前記ファスナー部位同士が互いに取り付けられているとときに前記第１のファスナー部位に対する前記巻回しエレメントの回転が不可能とされ得る。つまり、この場合には、前記ファスナー部位同士が互いに取り付けられているときに前記巻取方向及び前記巻取方向の反対方向へのいずれの回転運動もロックされている。
【００１６】
一実施形態では、前記巻回しエレメントが歯部手段を有しており、当該歯部手段は、前記閉位置にて、前記第１のファスナー部位の歯部手段と係合している。このような歯部手段は、例えば、前記巻取方向に沿って周回状に延在する鋸歯状の歯部等により形成され得る。しかしながら、このような歯部手段は、連続した歯部を形成していない個々の歯部エレメントにより形成されたものとされてもよい。
【００１７】
具体的に述べると、このような歯部手段により、前記ファスナー部位同士が互いに取り付けられているとき（したがって、前記閉位置に位置しているとき）に、前記巻取方向へは前記第１のファスナー部位に対する前記巻回しエレメントの回転を可能にする一方で前記巻取方向の反対方向への動きについてはロックするという一種のフリーホイールを提供することが可能となる。前記巻回しエレメントが前記第１のファスナー部位に対して回転した場合、前記巻回しエレメントの前記歯部手段が前記第１のファスナー部位の前記歯部手段の上をスライドすることで、前記第１のファスナー部位に対する前記巻取方向への前記巻回しエレメントの拘束運動が可能となる。ただし、前記巻取方向の反対方向に荷重が加わった場合には、前記歯部手段の歯部エレメント同士が互いに係合することで動きがロックされるため、前記巻回しエレメントが自身の現在位置のまま保持されることになる。
【００１８】
前記歯部手段同士は、例えば、軸方向に互いに係合するものとされ得る。前記巻回しエレメントが前記第１のファスナー部位に対して前記巻取方向に回転した場合には、例えば鋸歯状の歯部エレメント同士が互いの上をスライドすることで前記歯部手段同士が互いの上をスライドする。前記第１のファスナー部位及び前記第２のファスナー部位が互いに回転可能に取り付けられた状態で、当該第１のファスナー部位及び当該第２のファスナー部位が互いに軸方向に案内されると、これに伴って前記第２のファスナー部位に対する前記第１のファスナー部位の（小規模の）軸方向移動が生じ得る。
【００１９】
変形例では、少なくとも一方の前記歯部手段が、前記巻取方向への前記巻回しエレメントの回転時に前記巻取方向を横切るようにして脇へと追いやられることが可能な少なくとも１つの歯部エレメントを有するものとされ得る。よって、この場合には前記ファスナー部位間で軸方向移動が起こらず、むしろ、前記巻回しエレメントが前記第１のファスナー部位に対して前記巻取方向に回転されると一方の前記歯部手段の前記歯部エレメントが脇に追いやられる。この構成は、特に、前記閉位置にて前記第１のファスナー部位と前記第２のファスナー部位とが互いに機械的に拘束されていて且つそのため軸方向に互いに移動できない場合に好都合となり得る。
【００２０】
一般的に、前記第１のファスナー部位及び前記第２のファスナー部位は、前記閉位置にて、当該ファスナー部位同士を前記閉方向に抗して互いに保持するように互いに機械的に拘束され得る。この目的のために、一方の前記ファスナー部位は、例えば、少なくとも１つの可動なデテントエレメントを有するデテント手段を含み得て、当該少なくとも１つの可動なデテントエレメントは、拘束位置にて、他方のファスナー部位のデテント凹部に係合することにより前記ファスナー部位同士を前記閉方向に抗して互いに保持し得る。これにより、前記ファスナー部位同士が互いに取り付けられたときに、前記デテント手段によって当該ファスナー部位間において機械的なデテント連結が生じる。前記デテント手段により、前記ファスナー部位同士が前記閉方向と逆に働く荷重に抗して互いに保持されるので、そのデテント連結を解除しない限りは、当該ファスナー部位同士を互いに取り外すことができない。
【００２１】
好ましくは、前記デテント手段は、前記ファスナー部位同士の取付時に前記拘束位置へと自動的に移行する。これにより、前記ファスナー部位同士の取付時に当該ファスナー部位同士が自動的に互いに拘束されるので、前記閉位置での当該ファスナー部位同士の保持が守られる。このとき、前記ファスナー部位同士が取り付けられた状態のまま前記引張エレメントを前記巻回しエレメントに巻き付けることが可能であるように、任意で、前記巻回しエレメントは前記デテント連結にかかわらず前記第１のファスナー部位に対して前記巻取方向へと回転可能なものとされ得る。
【００２２】
前記デテント手段は、少なくとも１つのデテントエレメントを有し得る。これらは、例えば自身の拘束位置の方向へとばね予圧されている。これにより、好ましくは、前記ファスナー部位同士が互いに取り付けられたときに前記デテントエレメントが他方のファスナー部位の対応する前記デテント凹部に自動的に係合する。
【００２３】
好ましくは、前記ファスナー部位間のデテント連結を解除して前記ファスナー部位同士を互いに分離することで前記ファスナー装置を開くのを可能にするため、前記デテント手段は、前記少なくとも１つのデテントエレメントを前記デテント凹部から脱係合させるように作動され得る操作エレメントを有している。当該操作エレメントは、例えば押し動作等により作動され得て、かつ、例えば乗上げエレメント等を有している。当該乗上げエレメントは、前記操作エレメントが作動されると、前記少なくとも１つのデテントエレメントを前記拘束位置の方向へと予圧する予圧エレメントにおける乗上げエレメントに接触することによって前記少なくとも１つのデテントエレメントを調節するように構成されているものとされる。前記予圧エレメントは、例えば、１つの側に前記デテントエレメントが形成されて反対側に前記乗上げエレメントが形成されているばねリングによって形成され得る。前記操作エレメントの前記乗上げエレメントが前記予圧エレメントの前記乗上げエレメントに乗上げることで、リング状の前記予圧エレメントが変形し、これによって前記デテントエレメントが動いて他方のファスナー部位の前記デテント凹部から脱係合する。
【００２４】
前記巻回しエレメントは、例えば、前記第２のファスナー部位全体が当該巻回しエレメントと一緒に動くことができるように、前記第２のファスナー部位の係合エレメントとの一体品として形成され得る。これにより、前記第２のファスナー部位を当該第２のファスナー部位に設けられた前記巻回しエレメントと一緒に回転させることで、前記引張エレメントを当該巻回しエレメントに巻き付けて当該引張エレメントを適宜締めるということが可能となる。この場合の前記ファスナー部位同士は、例えば、一方のファスナー部位の円筒カラーが他方のファスナー部位内に係合することで取付配置構成を成すことにより、互いに回転可能に取り付けられる。
このときの前記円筒カラーは、前記ファスナー部位同士が互いに軸方向に調節されることが可能であり且つ例えば前記閉方向に沿って軸方向に互いに取り付けられることが可能となるように、前記他方のファスナー部位において軸方向に案内されるものであり得る。
【００２５】
一実施形態では、前記第２のファスナー部位が、前記閉位置にて前記第１のファスナー部位に配置されるハウジングエレメントを含み、当該ハウジングエレメントに、前記巻回しエレメントが回転可能に取り付けられている。この場合の前記ハウジングエレメントは、例えば前記第１のファスナー部位へと回転結合で取り付けられるように設けられ得て、かつ、例えば前記ファスナー装置の前記閉位置にて前記第１のファスナー部位上に固定的に保持される。前記巻回しエレメントは、当該巻回しエレメントの回転により前記引張エレメントが当該巻回しエレメントに前記巻取方向で巻き取られて且つこれによって当該引張エレメントが締められることができるように、前記ハウジングエレメントに対して回転可能とされる。
【００２６】
一実施形態では、前記第２のファスナー部位が、ロックアセンブリを含み、当該ロックアセンブリは、ロック状態では前記巻回しエレメントを、当該巻回しエレメントが前記巻取方向へは前記ハウジングエレメントに対して回転可能である一方で前記巻取方向の反対方向へは前記ハウジングエレメントに対して回転可能でないように、前記ハウジングエレメントに対してロックする。
【００２７】
つまり、前記ロックアセンブリは、前記巻取方向へは前記ハウジングエレメントに対する前記巻回しエレメントの回転を可能にする一方で前記巻取方向の反対方向への前記巻回しエレメントの逆行回転についてはロックする役割を果たす。このようにして、前記ロックアセンブリにより、前記巻回しエレメントを前記巻取方向へとフリーホイールの様式で回転させて前記引張エレメントを巻き取るだけでなく、回転後の前記巻回しエレメントを当該巻回しエレメント自身が取った位置に維持するということが可能となる。これにより、前記引張エレメントに働く引張力を前記ロックアセンブリによって受け止めることができる。
【００２８】
好ましくは、前記ロックアセンブリは、前記ロック状態からロック解除されることが可能である。これにより、前記巻回しエレメントを切り離して当該巻回しエレメントを前記巻取方向の反対方向へと前記ハウジングエレメントに対して回転させることもできるようになるので、前記引張エレメントを当該巻回しエレメントから巻き出すことが可能となる。つまり、前記ロックアセンブリをロック解除することにより、前記引張エレメントを前記巻回しエレメントから巻き出すことで当該引張エレメントを緩めるということが可能となる。
【００２９】
一実施形態では、前記ロックアセンブリが、前記ファスナー装置の開動作時に自動的にロック解除され得る。前記ファスナー部位同士が互いに分離される場合（この目的のために、前記第２のファスナー部位の前記ハウジングエレメントが前記第１のファスナー部位から取り外される場合）、前記ロックアセンブリが当該ロックアセンブリのロック解除状態へと自動的に移行して前記巻回しエレメントが切り離されることで、当該巻回しエレメントから前記引張エレメントが巻き出されることが可能となる。
【００３０】
一実施形態では、前記ロックアセンブリが、例えばハンドグリップ等として構成され得る作動エレメントを含む。当該作動エレメントは、前記ハウジングエレメント上に回転可能に配置されている。前記巻回しエレメントは、前記作動エレメントを介して回転されることが可能とされ得る。この目的のために、前記ロックアセンブリの状態に応じて、前記作動エレメントが前記巻回しエレメントに動作可能に連結されたり前記巻回しエレメントから動作可能に切り離されたりする。
【００３１】
前記作動エレメントと前記ハウジングエレメントとは、例えばフリーホイール手段等によって互いに動作可能に連結され得る。当該フリーホイール手段により、前記巻取方向への前記ハウジングエレメントに対する前記作動エレメントの回転が可能とされる一方で、前記巻取方向の反対方向への前記ハウジングエレメントに対する前記作動エレメントの回転についてはロックされる。つまり、前記作動エレメントが前記巻回しエレメントに動作可能に連結されているとき、前記作動エレメントを介して前記巻回しエレメントを前記巻取方向へと回転させることは可能となる一方で、前記巻取方向の反対方向へと回転させることは不可能となる。
【００３２】
一実施形態では、前記フリーホイール手段が、前記ハウジングエレメント及び前記作動エレメントのうちの一方における歯部と、他方のエレメントにおける例えば爪部等の形態の少なくとも１つの調節可能なロックエレメントとを有する。前記歯部は、例えば、前記ハウジングエレメントの円筒カラーにおける内側歯部として形成され得る。この場合、前記作動エレメントには、例えば少なくとも１つの可動な（例えば、ピボット可能な）ロックエレメントが設けられる。前記巻取方向へと前記作動エレメントを回転させた際には、前記ロックエレメントが前記歯部の上をスライドすることで前記巻取方向への当該作動エレメントの回転が可能となる一方で、前記巻取方向の反対方向への逆回転については、前記歯部に対する前記ロックエレメントの係合によってロックされるため、当該作動エレメントを前記巻取方向の反対方向へと前記ハウジングエレメントに対して回転させることができない。
このとき、前記作動エレメントを例えば前記ハウジングエレメントに対して軸方向に調節すること等により前記ロックエレメントが前記歯部から脱係合することで、前記作動エレメントのロックを解除可能とすることも考えられ得て且つ可能である。
【００３３】
前記作動エレメントと前記巻回しエレメントとの間で動作可能連結を生じさせるために、前記作動エレメントは第１の歯部手段を有し得て、前記巻回しエレメントは第２の歯部手段を保持する。これらの歯部手段はそれぞれ、例えば鋸歯状の形態とされ得る。この係合は、前記巻取方向への前記作動エレメントの回転時に前記巻回しエレメントも併せて駆動され、これによって当該巻回しエレメントも同じく前記巻取方向へと前記ハウジングエレメントに対して回転される係合である。前記引張エレメントを介して引張力が導入されて前記巻回しエレメントに当該引張力がかかり、前記巻取方向の反対方向へのトルク荷重を招いたとしても、前記歯部手段同士が互いに係合していることで前記巻回しエレメントが前記作動エレメントによって前記ハウジングエレメントに対する定位置に保持されるため、当該巻回しエレメントから前記引張エレメントが巻き出されることができない。
【００３４】
前記巻回しエレメントを切り離して前記引張エレメントを巻き出すために、前記作動エレメントが前記ハウジングエレメントに対して軸方向に調節可能とされ得る。これにより、前記作動エレメントにおける前記歯部手段と前記巻回しエレメントにおける前記歯部手段とが脱係合するので、前記巻回しエレメントは前記作動エレメントによって定位置に保持されなくなる。このようにして、前記巻回しエレメントが前記巻取方向の反対方向へと前記ハウジングエレメントに対して回転されることが可能となるので、前記巻回しエレメントから前記引張エレメントを巻き出すことができるようになる。
【００３５】
前記ファスナー部位同士が互いに取り付けられているとき、前記ハウジングエレメントは前記第１のファスナー部位上に保持される。このとき、前記ハウジングエレメントは前記閉位置にて、例えば当該ハウジングエレメントが前記第１のファスナー部位により拘束されること等によって当該第１のファスナー部位に機械的に固定連結され得る。
一実施形態では、前記第１のファスナー部位が例えば少なくとも１つの第１のアンダーカットエレメントを含み得て、かつ、前記第２のファスナー部位の前記ハウジングエレメントが少なくとも１つの第２のアンダーカットエレメントを有している。これらのアンダーカットエレメントは、前記ファスナー部位同士の取付時に、当該ファスナー部位同士が前記閉位置にて前記閉方向に抗して互いに保持されるように互いに係合する。
【００３６】
前記アンダーカットエレメントは、例えば、前記第１のファスナー部位の本体部と前記第２のファスナー部位の前記ハウジングエレメントとに剛体として形成されている。前記ファスナー部位同士が前記閉方向に互いに取り付けられると、これらのアンダーカットエレメントが前記閉方向を横切る係合方向で互いに係合状態となり、当該アンダーカットエレメント同士が互いに係合して前記ファスナー部位間に、前記閉方向の反対方向の荷重を受けることが可能な連結を生じさせ得る。
【００３７】
一改良形態では、前記第１のファスナー部位が、当該第１のファスナー部位の本体部において前記閉方向を横切る方向に互いにオフセットして配置された少なくとも２つの第１のアンダーカットエレメントを含む。同様に、前記第２のファスナー部位の前記ハウジングエレメントが、当該第２のファスナー部位の当該ハウジングエレメントにおいて前記閉方向を横切る方向に互いにオフセットして配置された少なくとも２つの第２のアンダーカットエレメントを有し得る。前記閉位置では、当該第２のアンダーカットエレメントが、前記第１のファスナー部位の前記第１のアンダーカットエレメントに振り当てられて且つ係合する。各々のファスナー部位に複数のアンダーカットエレメントが設けられていることにより、前記閉位置にて当該ファスナー部位間に、機械的に荷重を支持する高強度の連結を生じさせることができる。
【００３８】
例えば、前記第１のファスナー部位の前記第１のアンダーカットエレメント同士は、前記巻回しエレメントの回転軸心を基準として互いに直径方向反対側に位置し得て、かつ、前記第２のファスナー部位の前記ハウジングエレメントの前記第２のアンダーカットエレメント同士も同じく、前記巻回しエレメントの前記回転軸心を基準として互いに直径方向反対側に位置し得る。これにより、前記巻回しエレメントの両側にアンダーカットエレメントが位置するので、前記閉位置にて前記ファスナー部位間に働く力を効率良く受け止めて散逸させることができる。
前記アンダーカットエレメントはそれぞれ、例えば、円弧状又はＶ字状であり得る。ここで、円弧状とは、あらゆる曲線状形態（例えば、直線状に延びる部分も一部含んでいてもよく、つまり、一部だけが曲線状であってもよい）を意味するものと理解されたい。Ｖ字状は、例えば、互いに傾いて配置されることでＶ字形状を形成する２つのアンダーカットエレメントにより形成されるものであってもよい。
【００３９】
一実施形態では、一方の前記ファスナー部位が、前記ファスナー部位の前記閉位置にて前記少なくとも１つの第１のアンダーカットエレメントと前記少なくとも１つの第２のアンダーカットエレメントとの係合を守る役割を果たすブロッキングエレメントを含む。このようなブロッキングエレメントは、例えば前記第１のファスナー部位に設けられ得て、かつ、前記閉位置にて、前記アンダーカットエレメント間の係合が守られるように（特には、前記アンダーカットエレメント同士が前記係合方向の反対方向に互いに脱係合できないように）前記ファスナー部位間にブロッキング作用を与える。
【００４０】
前記ブロッキングエレメントは、例えば、ブロッキング位置にて、前記アンダーカットエレメント同士が係合状態で保持されるように他方のファスナー部位の一部品に対向し得る。前記ファスナー部位に前記係合方向の反対方向の荷重がかかったとしても、前記ブロッキングエレメントにより前記アンダーカットエレメント同士は脱係合しないので、このようにして前記ファスナー部位同士の保持が守られる。
好ましくは、前記ブロッキングエレメントは、当該ブロッキングエレメントのブロッキング位置の方向へとばね予圧されている。これにより、前記ファスナー装置の閉動作時に前記ブロッキングエレメントが当該ブロッキングエレメントのブロッキング位置へと自動的に移行するので、前記ファスナー部位は前記閉位置での当該ファスナー部位同士の連結が守られる。
【００４１】
前記ブロッキングエレメントは、開動作の目的で、例えば当該ブロッキングエレメントのブロッキング位置外へと調節可能なものであり得る。これにより、例えば、前記ブロッキングエレメントに手動で働きかけることで前記ファスナー部位同士のブロッキングが解消されるので、前記アンダーカットエレメントの分離により前記ファスナー部位同士を互いに切り離すことが可能となる。
あるいは、前記他方のファスナー部位のうちの、前記ブロッキングエレメントが前記ブロッキング位置にて対向する前記部品が調節されることにより、前記ブロッキングエレメントのブロッキング作用が解消されるものとされてもよい。前記ブロッキングエレメントが例えば前記第１のファスナー部位に設けられている場合には、前記部品が例えば前記第２のファスナー部位の前記作動エレメントであり得て、当該作動エレメントが例えば前記ハウジングエレメントに対して軸方向に調節されることにより、第一に当該作動エレメントと前記巻回しエレメントとの動作可能連結を解消すると共に、第二に当該作動エレメントを前記ブロッキングエレメントに対するブロッキング作用を伴った自身の対向位置外へと動かすことができる。
【００４２】
上述したタイプのファスナー装置は、前記ファスナー部位同士が互いに取り付けられて前記閉位置にて互いに機械的に保持される純粋に機械的なファスナー装置として構成され得る。このとき、そのような機械的保持により、前記閉方向を横切る平面内の剪断力を受け止めることが可能となる。さらに、前記ファスナー部位間に機械的な連結が設けられている場合には、前記閉方向の反対方向の力も受け止めることが可能となる。
ただし、有利な一実施形態では、前記ファスナー装置が磁気を利用した設計とされる。この目的のために、前記第１のファスナー部位及び前記第２のファスナー部位はそれぞれ、当該ファスナー部位同士の取付時に前記ファスナー装置を閉じるように磁気吸引作用を伴って互いに対向配置されて且つこれによって前記ファスナー装置の閉動作を磁気的に支援する、少なくとも１つの磁石エレメントを含む。
【００４３】
ここで、磁石エレメントは、永久磁石又は例えば強磁性材料等で構成された磁性アーマチュアにより形成され得る。例えば、一方の前記ファスナー部位は、他方のファスナー部位の磁性アーマチュアと磁気吸引作用によって相互作用する永久磁石を含むものとされ得る。しかしながら、両方のファスナー部位をそれぞれ、当該ファスナー部位同士の取付時に相対する磁極で互いに対向配置されて且つこれによって取付過程を磁気吸引により支援する、永久磁石又は複数の永久磁石の配置構成体を含むものとすることも考えられ得る。
【００４４】
前記作動エレメントの作動は、手動で当該作動エレメントを回転させることで行われるものとされてもよい。ただし、前記作動エレメントを駆動するのに電気モータが設けられた実施形態も考えられ得て且つ可能である。このような電気モータは、例えば前記第１のファスナー部位と連結した物品上の定位置に設置され得て、かつ、例えば前記ファスナー装置が当該ファスナー装置の閉位置に位置したときに駆動ウォームなどの適切なギア部品を介して前記作動エレメントの歯部に係合するものとされ得る。これにより、前記作動エレメントが前記電気モータによって回転され得る。
【００４５】
変形例では、前記第１のファスナー部位の前記歯部手段が、当該第１のファスナー部位の当該歯部手段の回転によって前記巻回しエレメントを回転させるように電気モータ手段で駆動されるものとすることも考えられ得て且つ可能である。
一実施形態では、前記ファスナー装置の閉動作時に前記ファスナー部位間に電気的な接触が生じるように、前記第１のファスナー部位及び前記第２のファスナー部位のそれぞれに、少なくとも１つの電気接点エレメントが設けられ得る。
【００４６】
さらなる実施形態では、前記ファスナー装置が、前記第２のファスナー部位に設けられて、前記巻回しエレメント及び前記作動エレメント以外の追加の構成要素として構成され得る、例えばアイレット等の形態の巻取アウトプットエレメントを備え得る。当該巻取アウトプットエレメントは、例えば前記巻回しエレメントおよび／または前記作動エレメントに対して自由に回転可能なものとされ得て、かつ、前記引張エレメントが定められた様式で前記巻回しエレメントへと進むように当該引張エレメントを当該巻回しエレメントに対して案内する。これにより、前記巻回しエレメントからの前記引張エレメントの制御不能な巻出し（特には、巻出し過程において前記引張エレメントがもつれること）が防がれる。
【００４７】
本明細書で説明するファスナー装置は、ファスナー部位同士の切離し可能な連結と引張エレメントの締付け機能との併用を可能にする。これにより、例えば、前記ファスナー部同士が分離した状態で前記引張エレメントに先に負荷をかけて緊張状態にしてから前記ファスナー装置を閉じたうえで、当該ファスナー装置の前記閉位置にて前記引張エレメントを前記巻回しエレメントの回転により巻き取って再度締めるということが可能になる。これにより、例えば靴の場合には、前記ファスナー装置が分離した状態で（靴ひもの形態の）前記引張エレメントを引っ張ることで当該引張エレメントを手動で仮締めてから、前記ファスナー装置を閉じて当該引張エレメントを再度締めるということが可能になる。
【００４８】
また、前記ファスナー部位同士が分離していることにより、前記巻回しエレメントに接続された前記引張エレメントを所与の物体に引き回したうえで前記ファスナー装置によって同物品を別の何かに固定するということが可能になる。例えば、前記ファスナー装置が開いた状態で前記引張エレメントを例えばマストやフレーム（例えば、自転車のフレーム等）に引き回してから、前記ファスナー装置を閉じて前記引張エレメントを締めることで、物品をこのようにして前記マスト又は前記フレームに固定するということが可能になる。
【００４９】
本明細書で説明するタイプのファスナー装置は、多種多様な様式で使用され得る。例えば、本明細書で説明するタイプのファスナー装置は、リュックサック、ボックス、容器などのバッグや他の入れ物、靴（特には、ウォーキングシューズ、スキーブーツなどのスポーツシューズ）、ヘルメット（特には、スポーツヘルメット）、医療用支持スプリントなどの医療用補助具等に使用され得る。
例えば、本明細書で説明するタイプのファスナー装置により、サックやバッグのストラップ（いわゆる圧縮ストラップ）が締められることが可能となる。リュックサックや学生かばんのストラップやヒップストラップが、このようなファスナー装置によって閉じられて締められることが可能となる。また、このようなファスナー装置は、例えばヘッドフォンケーブル、充電ケーブル等の電気ケーブルを巻き取るケーブルドラムにも使用され得る。
ヘルメットの場合には、本明細書で説明するタイプのファスナー装置により、ストラップを締めたり当該ヘルメットに物体（例えば、（スキーゴーグルなどの）保護ゴーグル等）を固定したりすることが可能になる。
【００５０】
また、このタイプのファスナー装置は、乗り物（自転車、乗用車、重量積載物車両、船舶、航空機など）内に又は上にアクセサリやバッグを積載したり固定したりする役割を、例えば自転車の荷台の締付け装置等として果たし得る。
具体的に述べると、このタイプのファスナー装置は、例えばドリンクボトル、容器等の物品を自転車のフレームに固定する目的のために、例えば自転車のフレームに締付け固定されることが可能なホルダ等にて採用され得る。
また、このタイプのファスナー装置は、あらゆる種類のターポリンやシートを張るのに（例えば、テント用タープを張ったり日よけを張ったりするのに）使用され得る。
また、軍事用途も考えられ得て且つ可能である。つまり、ファスナー装置は、武器や弾薬を締付け固定したり積載したりするのに使用され得る。
また、説明するタイプのファスナー装置は、患者の大量出血傷を止血する止血帯システムに使用され得る。
【００５１】
以下では、本発明の基礎をなす思想を、図面に示す例的実施形態に基づいてより詳細に説明する。
【図面の簡単な説明】
【００５２】
【図１Ａ】ファスナー装置の第１の例的実施形態を示す図である。
【図１Ｂ】同ファスナー装置の他の斜視図である。
【図２Ａ】同ファスナー装置の分解図である。
【図２Ｂ】同ファスナー装置の他の分解図である。
【図３Ａ】ファスナー部位同士を互いに取り付ける前の同ファスナー装置の図である。
【図３Ｂ】同ファスナー装置の側面図である。
【図３Ｃ】図３Ｂの線Ａ−Ａに沿った断面図である。
【図３Ｄ】図３Ｂの線Ｂ−Ｂに沿った断面図である。
【図４Ａ】巻回しエレメントがロック解除されている場合の、ファスナー部位同士を互いに取り付ける前の同ファスナー装置の図である。
【図４Ｂ】同ファスナー装置の側面図である。
【図４Ｃ】図４Ｂの線Ａ−Ａに沿った断面図である。
【図４Ｄ】図４Ｂの線Ｂ−Ｂに沿った断面図である。
【図５Ａ】ファスナー部位同士の取付時の同ファスナー装置の図である。
【図５Ｂ】図５Ａの配置構成の側面図である。
【図５Ｃ】図５Ｂの線Ａ−Ａに沿った断面図である。
【図５Ｄ】図５Ｂの線Ｂ−Ｂに沿った断面図である。
【図６Ａ】ファスナー部位同士のさらなる取付時の同ファスナー装置の図である。
【図６Ｂ】図６Ａの配置構成の側面図である。
【図６Ｃ】図６Ｂの線Ａ−Ａに沿った断面図である。
【図６Ｄ】図６Ｂの線Ｂ−Ｂに沿った断面図である。
【図７Ａ】ファスナー部位同士のさらなる取付時の同ファスナー装置の図である。
【図７Ｂ】図７Ａの配置構成の側面図である。
【図７Ｃ】図７Ｂの線Ａ−Ａに沿った断面図である。
【図７Ｄ】図７Ｂの線Ｂ−Ｂに沿った断面図である。
【図８Ａ】ファスナー部位同士が互いに取り付けられた、閉位置での同ファスナー装置の図である。
【図８Ｂ】図８Ａの配置構成の側面図である。
【図８Ｃ】図８Ｂの線Ａ−Ａに沿った断面図である。
【図８Ｄ】図８Ｂの線Ｂ−Ｂに沿った断面図である。
【図９Ａ】開動作過程での同ファスナー装置の図である。
【図９Ｂ】図９Ａの配置構成の側面図である。
【図９Ｃ】図９Ｂの線Ａ−Ａに沿った断面図である。
【図９Ｄ】図９Ｂの線Ｂ−Ｂに沿った断面図である。
【図１０Ａ】さらなる開動作過程での同ファスナー装置の図である。
【図１０Ｂ】図１０Ａの配置構成の側面図である。
【図１０Ｃ】図１０Ｂの線Ａ−Ａに沿った断面図である。
【図１０Ｄ】図１０Ｂの線Ｂ−Ｂに沿った断面図である。
【図１１Ａ】ファスナー装置の他の例的実施形態を示す図である。
【図１１Ｂ】同ファスナー装置の他の図である。
【図１２Ａ】同ファスナー装置の平面図である。
【図１２Ｂ】ファスナー部位同士が互いに分離した場合の同ファスナー装置の側面図である。
【図１３Ａ】同ファスナー装置の分解図である。
【図１３Ｂ】同ファスナー装置の他の分解図である。
【図１４Ａ】閉位置での同ファスナー装置の図である。
【図１４Ｂ】図１４Ａの配置構成の側面図である。
【図１４Ｃ】図１４Ｂの線Ａ−Ａに沿った断面図である。
【図１４Ｄ】同ファスナー装置の部分断面図である。
【図１５Ａ】巻回しエレメントが設けられた第２のファスナー部位を第１のファスナー部位に対して回転させたときの同ファスナー装置の図である。
【図１５Ｂ】図１５Ａの配置構成の側面図である。
【図１５Ｃ】図１５Ｂの線Ａ−Ａに沿った断面図である。
【図１５Ｄ】同ファスナー装置の部分断面図である。
【図１６Ａ】第２のファスナー部位を第１のファスナー部位に対してさらに回転させたときの同ファスナー装置の図である。
【図１６Ｂ】図１６Ａの配置構成の側面図である。
【図１６Ｃ】図１６Ｂの線Ａ−Ａに沿った断面図である。
【図１６Ｄ】同ファスナー装置の部分断面図である。
【図１７Ａ】ファスナー部位同士が互いに分離した場合の同ファスナー装置の図である。
【図１７Ｂ】図１７Ａの配置構成の側面図である。
【図１７Ｃ】図１７Ｂの線Ａ−Ａに沿った断面図である。
【図１７Ｄ】同ファスナー装置の部分断面図である。
【図１８Ａ】ファスナー装置の他の実施形態を示す図である。
【図１８Ｂ】同ファスナー装置の他の例的な図である。
【図１９Ａ】ファスナー装置の例的なさらなる他の実施形態を示す図である。
【図１９Ｂ】同ファスナー装置の他の図である。
【図２０Ａ】同ファスナー装置の分解図である。
【図２０Ｂ】同ファスナー装置の他の分解図である。
【図２１Ａ】ファスナー部位同士を互いに取り付ける前の同ファスナー装置の図である。
【図２１Ｂ】図２１Ａの配置構成の部分断面平面図である。
【図２１Ｃ】図２１Ｂの線Ｌ−Ｌに沿った断面図である。
【図２１Ｄ】図２１Ｂの線Ｍ−Ｍに沿った断面図である。
【図２２Ａ】閉動作過程での同ファスナー装置の図である。
【図２２Ｂ】図２２Ａの配置構成の部分断面平面図である。
【図２２Ｃ】図２２Ｂの線Ｆ−Ｆに沿った断面図である。
【図２２Ｄ】図２２Ｂの線Ｇ−Ｇに沿った断面図である。
【図２３Ａ】さらなる閉動作過程での同ファスナー装置の図である。
【図２３Ｂ】図２３Ａの配置構成の部分断面平面図である。
【図２３Ｃ】図２３Ｂの線Ｈ−Ｈに沿った断面図である。
【図２３Ｄ】図２３Ｂの線Ｉ−Ｉに沿った断面図である。
【図２４Ａ】閉位置での同ファスナー装置の図である。
【図２４Ｂ】図２４Ａの配置構成の部分断面平面図である。
【図２４Ｃ】図２４Ｂの線Ｂ−Ｂに沿った断面図である。
【図２４Ｄ】図２４Ｂの線Ｃ−Ｃに沿った断面図である。
【図２５Ａ】ファスナー部位同士を回転させたときの同ファスナー装置の図である。
【図２５Ｂ】図２５Ａの配置構成の部分断面平面図である。
【図２５Ｃ】図２５Ｂの線Ｊ−Ｊに沿った断面図である。
【図２５Ｄ】図２５Ｂの線Ｋ−Ｋに沿った断面図である。
【図２６Ａ】同ファスナー装置を開く目的で操作エレメントを作動させたときの配置構成の図である。
【図２６Ｂ】図２６Ａの配置構成の部分断面平面図である。
【図２６Ｃ】図２６Ｂの線Ｄ−Ｄに沿った断面図である。
【図２６Ｄ】図２６Ｂの線Ｅ−Ｅに沿った断面図である。
【図２７Ａ】ファスナー装置の例的なさらなる実施形態を、当該ファスナー装置の閉位置で描いた斜視図である。
【図２７Ｂ】図２７Ａの配置構成の側面図である。
【図２７Ｃ】同ファスナー装置の平面図である。
【図２７Ｄ】図２７Ｃの線Ａ−Ａに沿った断面図である。
【図２８】例的な同実施形態の変更例の、図２７Ｃの線Ａ−Ａに沿った断面図である。
【図２９Ａ】歯部手段の例的実施形態を示す概略図である。
【図２９Ｂ】図２９Ａの歯部手段の斜視図である。
【図３０Ａ】歯部手段の他の例的実施形態を示す概略図である。
【図３０Ｂ】図３０Ａの歯部手段の斜視図である。
【図３１Ａ】歯部手段のさらなる他の例的実施形態を示す概略図である。
【図３１Ｂ】図３１Ａの歯部手段の斜視図である。
【図３２Ａ】歯部手段のさらなる他の例的実施形態を示す概略図である。
【図３２Ｂ】図３２Ａの歯部手段の斜視図である。
【図３３Ａ】歯部手段の例的なさらなる他の実施形態を示す概略図である。
【図３３Ｂ】図３３Ａの歯部手段の斜視図である。
【図３４Ａ】ファスナー装置の例的な一実施形態を示す図であり、第１のファスナー部位の歯部手段が具体的に示されている図である。
【図３４Ｂ】図３４Ａの例的実施形態を示す図であり、第２のファスナー部位の歯部手段が描かれている図である。
【図３４Ｃ】同ファスナー装置の平面図である。
【図３４Ｄ】図３４Ｃの線Ａ−Ａに沿った断面図である。
【図３５】靴を締めるファスナー装置の用途の例的な一実施形態を示す図である。
【図３６】靴を締めるファスナー装置の用途の例的な他の実施形態を示す図である。
【図３７】靴を締めるファスナー装置の用途の例的なさらなる他の実施形態を示す図である。
【図３８】靴を締める際の図３７の例的実施形態を示す図である。
【図３９】靴を締めるファスナー装置の用途の例的なさらなる他の実施形態を示す図である。
【図４０】靴を締めるファスナー装置の用途の例的なさらなる他の実施形態を示す図である。
【図４１】靴を締めるファスナー装置の用途の例的なさらなる他の実施形態を示す図である。
【図４２】ズボンの足部を締めるファスナー装置の例的な一実施形態を示す図である。
【図４３】ズボンの足部を靴と一緒に締め付けるファスナー装置の用途の例的な一実施形態を示す図である。
【図４４】ズボンの足部を靴に対して締め付けるファスナー装置の用途の例的な他の実施形態を示す図である。
【図４５】衣服を閉じるファスナー装置の用途の例的な一実施形態を示す図である。
【図４６】衣服が閉じられる場合の図４５の例的実施形態を示す図である。
【図４７】衣服を閉じるファスナー装置の用途の例的な他の実施形態を示す図である。
【図４８】医療用補助具を閉じて締めるファスナー装置の用途の例的な一実施形態を示す図である。
【図４９】閉じられて締められた状態での図４８の例的実施形態を示す図である。
【図５０】医療用補助具を閉じて締めるファスナー装置の用途の例的な他の実施形態を示す図である。
【図５１】閉じられた状態での図５０の例的実施形態を示す図である。
【図５２】別の医療用補助具を閉じて締めるファスナー装置の用途の例的な一実施形態を示す図である。
【図５３】ヘルメットのベルトを閉じて締めるファスナー装置の用途の例的な一実施形態を示す図である。
【図５４】ベルトが閉じられた場合の図５３の例的実施形態を示す図である。
【図５５】ヘルメットのストラップを閉じて締めるファスナー装置の用途の例的な一実施形態を示す図である。
【図５６】ストラップが閉じられた場合の図５５の例的実施形態を示す図である。
【図５７】照明を吊るすファスナー装置の用途の例的実施形態を示す図である。
【図５８】絵や写真を掛けるファスナー装置の用途の例的実施形態を示す図である。
【図５９】照明をコンセントに接続するファスナー装置の用途の例的実施形態を示す図である。
【図６０】コンセントに接続された図５９の例的実施形態を示す図である。
【図６１】ケーブルが張られた場合の図６０の例的実施形態を示す図である。
【図６２】ローラブラインドを張るファスナー装置の用途の例的実施形態を示す図である。
【図６３】ローラブラインドを張るファスナー装置の用途の他の例的実施形態を示す図である。
【図６４】ストラップを荷物に対して締め付けるファスナー装置の用途の例的な一実施形態を示す図である。
【図６５】リュックサック上の引張エレメントを締めるファスナー装置の用途の例的な一実施形態を示す図である。
【図６６】物体を自転車に固定するファスナー装置の用途の例的な一実施形態を示す図である。
【図６７】物体を自転車に固定するファスナー装置の用途の例的な他の実施形態を示す図である。
【図６８】自動車の荷室内に物体を固定するファスナー装置の用途の例的な一実施形態を示す図である。
【図６９】ストラップの形態の引張エレメントを備えたファスナー装置の例的なさらなる実施形態を示す図である。
【図７０】図６９のファスナー装置の正面図である。
【図７１】同ファスナー装置の側面図である。
【図７２】同ファスナー装置の平面図である。
【図７３】図７２の線Ａ−Ａに沿った断面図である。
【図７４Ａ】２つのストラップ端部を互いに連結するファスナー装置の図である。
【図７４Ｂ】閉じられた状態での同ファスナー装置の図である。
【図７５】ファスナー装置の例的な他の実施形態を示す図である。
【図７６】２つのストラップ端部を互いに連結するファスナー装置の例的なさらなる実施形態を示す図である。
【図７７】閉位置での同ファスナー装置の図である。
【図７８Ａ】ファスナー部位同士を互いに取り付けるための位置に締付けレバーが位置した、同ファスナー装置の平面図である。
【図７８Ｂ】図７８Ａの細部Ａを拡大した図である。
【図７９Ａ】引張エレメントを締める際の同ファスナー装置の平面図である。
【図７９Ｂ】図７９Ａの細部Ａを拡大した図である。
【発明を実施するための形態】
【００５３】
図１Ａ及び図１Ｂないし図１０Ａ〜図１０Ｄには、第１のファスナー部位２及び第２のファスナー部位３を備えるファスナー装置１の第１の例的実施形態が示されている。ファスナー部位２，３は、閉方向Ｘに沿って互いに取り付けられることが可能で且つ閉位置にて互いに保持される。これにより、当該閉位置ではファスナー部位２，３間において、機械的に固定された連結が創出される。
【００５４】
特に図２Ａ及び図２Ｂの分解図から見て取れるように、第１のファスナー部位２は、それぞれ円弧状の構造である２つの剛体のアンダーカットエレメント２１，２２が設けられた本体部２０を含む。本体部２０には、さらに、当該本体部２０の側壁２００間に軸体２４０によってピボット可能に取り付けられたブロッキングエレメント２４が設けられている。ブロッキングエレメント２４は、ばねエレメント２４１により、後で詳述するようなブロッキング位置へとばね予圧されている。
【００５５】
第２のファスナー部位３は、２つの剛体のアンダーカットエレメント３１，３２が設けられたハウジングエレメント３０を含む。アンダーカットエレメント３１，３２は、第１のファスナー部位２のアンダーカットエレメント２１，２２に振り当てられて前記閉位置にて当該アンダーカットエレメント２１，２２と機械的に係合する。
【００５６】
ハウジングエレメント３０には、円筒カラー３００が形成されている。円筒カラー３００は、巻回しエレメント３５がベアリングドーム３０３を中心として回転可能に取り付けられる内部空間３０１を取り囲んでいる。グリップエレメントの形態の作動エレメント３４も、内部空間３０１内へと本体部３４０で係合すると共にベアリングドーム３０３の開口部３０４へとペグ３４２で係合し、かつ、当該ベアリングドーム３０３内でデテントエレメント３６に連結している（例えば図３Ｃの断面図を参照のこと）。
【００５７】
円筒カラー３００の内側には、歯部３０２が周回状に形成されている。歯部３０２は、ばねエレメント３４４により予圧されて且つ作動エレメント３４の本体部３４０内に可動に取り付けられた、ロックエレメント３４３と相互作用する（例えば図３Ｃの断面図を参照のこと）。後でさらに詳述するように、歯部３０２はロックエレメント３４３と共に、巻取方向Ｖへのハウジングエレメント３０に対する作動エレメント３４の回転を許可する一方で巻取方向Ｖの反対方向への逆回転運動については阻止するフリーホイールを形成している。
【００５８】
作動エレメント３４は、本体部３４０のうちの巻回しエレメント３５へと面する端側部分に、巻回しエレメント３５の歯部３５１に振り当てられる歯部３４２を有している。作動エレメント３４は、歯部３４２を介して、巻回しエレメント３５との動作可能な連結状態にされることが可能である。作動エレメント３４と巻回しエレメント３５との間に動作可能連結が存在していると、作動エレメント３４を回転することによって巻回しエレメント３５を回転させることができ、これにより、引張エレメント４（図１Ｂを参照）を巻回しエレメント３５の巻回し本体部３５０上の溝３５３に巻き付けることができる。引張エレメント４は、開口部３０５を通って内部空間３０１内へと送られて巻回し本体部３５０に巻き取られる。
【００５９】
第１のファスナー部位２は、本体部２０に固定された第１の磁石エレメント２３を含む。第２のファスナー部位３は、ハウジングエレメント３０に配置された第２の磁石エレメント３３を含む。第２の磁石エレメント３３は、第１のファスナー部位２の第１の磁石エレメント２３と磁気的に相互作用する。磁石エレメント２３，３３はそれぞれ、永久磁石により形成され得て、かつ、相対する磁極で互いに対向配置されることによりファスナー部位２，３の取付時に磁気吸引作用によって相互作用し得る。変形例では、一方の磁石エレメント２３，３３が永久磁石により実現され得て、かつ、他方の磁石エレメント３３，２３が例えば強磁性材料等で構成された磁性アーマチュアにより形成されていることで、これら磁石エレメント２３，３３間に磁気吸引が生じる。
【００６０】
図３Ａ〜図３Ｄないし図１０Ａ〜図１０Ｄには、様々な位置でのファスナー装置１が示されている。
図３Ａ〜図３Ｄには、ファスナー部位２，３が互いに分離している開位置でのファスナー装置１が示されている。図３Ｃの断面図から見て取れるように、図示の位置における作動エレメント３４は当該作動エレメント３４の歯部３４１で巻回しエレメント３５の対応する歯部３５１と係合しており、そのため、これら作動エレメント３４と巻回しエレメント３５との間には動作可能連結が生じている。この軸方向位置にて、（ハウジングエレメント３０に対して軸方向に調節可能である）作動エレメント３４は、デテントエレメント３６のデテント突部３６０がデテント溝３０５にデテント係合することでハウジングエレメント３０のベアリングドーム３０３内に保持されている。
【００６１】
作動エレメント３４が巻取方向Ｖへとハウジングエレメント３０に対して回転されると、当該作動エレメント３４と巻回しエレメント３５との間の動作可能連結により、巻回しエレメント３５が一緒に回転される。これにより、巻回しエレメント３５に配された引張エレメント４が、当該巻回しエレメント３５の巻回し本体部３５０に巻き取られる。ここで、作動エレメント３４の回転が可能である理由は、巻取方向Ｖへの当該作動エレメント３４の回転時にロックエレメント３４３がハウジングエレメント３０の円筒カラー３００の内側歯部３０２の上をスライドする（つまり、巻取方向Ｖへの当該作動エレメント３４の回転がロックされていない）からである。
【００６２】
作動エレメント３４および当該作動エレメント３４に動作可能に連結された巻回しエレメント３５は、回転後に取っている位置にいずれも留まる。引張エレメント４に働く引張力が巻回しエレメント３５及び作動エレメント３４によりハウジングエレメント３０内へと導入されるものの、ロック作用を生じているロックエレメント３４３により、当該引張力はそこで受け止められることができる。
【００６３】
引張エレメント４の緊張を開放するには、図４Ａ〜図４Ｄに示すように、作動エレメント３４がハウジングエレメント３０のベアリングドーム３０３に対して軸方向に調節され得る。これにより、デテントエレメント３６０が、ベアリングドーム３０３内のうちの上側のデテント溝３０５に係合し且つこれによって作動エレメント３４をハウジングエレメント３０に対して軸方向上方の位置に拘束する。作動エレメント３４のこの軸方向移動により、作動エレメント３４の歯部３４１と巻回しエレメント３５の歯部３５１との動作可能連結が解消されて、これら作動エレメント３４と巻回しエレメント３５とが脱係合する。これにより、巻回しエレメント３５がロックされていない状態となって巻取方向Ｖの反対方向へとハウジングエレメント３０に対して動かされることができるようになるので、引張エレメント４を巻回しエレメント３５から巻き出すことが可能となる。
【００６４】
作動エレメント３４のこの軸方向移動により、さらに、本体部３４０におけるロックエレメント３４３がハウジングエレメント３０の円筒カラー３００における内側歯部３０２に対して軸方向に調節されるので、これによって作動エレメント３４とハウジングエレメント３０との間のロック作用が解消される。これにより、任意で、作動エレメント３４もハウジングエレメント３０に対して（巻取方向Ｖの反対方向にも）自由に回転されることができるようになる。
【００６５】
図５Ａ〜図５Ｄないし図６Ａ〜図６Ｄには、ファスナー部位２，３同士の取付時のファスナー装置１が示されている。ファスナー部位２，３同士の取付時には、第１のファスナー部位２の本体部２０におけるアンダーカットエレメント２１，２２と第２のファスナー部位３のハウジングエレメント３０におけるアンダーカットエレメント３１，３２とが互いに乗り上げて且つこれによって互いに横方向に変位する。このようにして、当該アンダーカットエレメント２１，２２，３１，３２は、閉方向Ｘに互いに通り越すことで互いに係合状態にされることができる。
この場合のファスナー部位２，３の取付けは、磁石エレメント２３，３３の働きによって磁気的に支援されるので実質上自動的に行われ得る。
【００６６】
アンダーカットエレメント２１，２２，３１，３２が互いに通り越して、第１のファスナー部位２の本体部２０と第２のファスナー部位３のハウジングエレメント３０とが図７Ａ〜図７Ｄに示すように互いに当接した状態では、磁石エレメント２３，３３が互いにオフセットしている。そのため、磁石エレメント２３，３３間に横方向の力が働き、当該横方向の力によってアンダーカットエレメント２１，２２，３１，３２が図８Ａ〜図８Ｄに示すように互いの係合状態へと係合方向Ｅに引き寄せられる。これにより、ファスナー部位２，３は、図８Ａ〜図８Ｄに示す前記閉位置へと移行し、当該閉位置にて互いに機械的に連結されて互いに保持される。
【００６７】
特に図７Ａ〜図７Ｄから見て取れるように、ファスナー部位２，３同士の取付時には、作動エレメント３４がブロッキングエレメント２４に働きかけて当該ブロッキングエレメント２４をばねエレメント２４１のばね予圧に抗して変位させる（特には図７Ｃの断面図を参照のこと）。アンダーカットエレメント２１，２２，３１，３２が互いの係合状態になると、ブロッキングエレメント２４は、ばねエレメント２４１のばね予圧によって自身の初期位置へと戻り、作動エレメント３４の周縁に対向配置した位置に移行する。これにより、開方向Ｙ（係合方向Ｅの反対方向）への第１のファスナー部位２に対する第２のファスナー部位３の動きがロックされる。これによって、アンダーカットエレメント２１，２２，３１，３２が互いの形状係合状態に保持される。
【００６８】
前記閉位置では、巻取方向Ｖへの作動エレメント３４の回転によって巻回しエレメント３５が回転されることが可能であり、これによって引張エレメント４が巻回しエレメント３５に巻き付けられることができる。このようにして、引張エレメント４が締められることができる。これにより、第１のファスナー部位２に連結した第１の物品と第２のファスナー部位３に引張エレメント４を介して接続された第２の物品とが引張荷重によって互いに固定されることが可能となる。
【００６９】
ファスナー装置１を開きたい場合には、図９Ａ〜図９Ｄに示すように、作動エレメント３４が第２のファスナー部位３のハウジングエレメント３０に対して切離し方向Ｌへと軸方向に調節され得る。結果として、作動エレメント３４が巻回しエレメント３５から脱係合する（歯部３４１と歯部３５１とが互いに分離する）ので、巻回しエレメント３５がハウジングエレメント３０に対して自由に回転し、特には、巻取方向Ｖの反対方向へと動くことで引張エレメント４を当該巻回しエレメント３５から巻き出すことができるようになる。
【００７０】
切離し方向Ｌへの作動エレメント３４の軸方向移動により、当該作動エレメント３４が、さらに、ブロッキングエレメント２４に対向配置する自身の位置から外部へと移行する。これにより、アンダーカットエレメント２１，２２，３１，３２は互いに脱係合できるようになるので、ファスナー部位２，３を図１０Ａ〜図１０Ｄに示すように互いに分離させることが可能となる。
【００７１】
ファスナー部位２，３同士の切離しは、引張エレメント４が締められた状態でも（すなわち、作動エレメント３４と巻回しエレメント３５との動作可能連結が存在している状態でも）行うことができる。この目的のために、ブロッキングエレメント２４が、ばね予圧２４１に抗して下方へと押圧されて手動で作動され得る。これにより、作動エレメント３４に対する当該ブロッキングエレメント２４の対向配置が、ブロッキング作用と共に解消される。
【００７２】
図１１Ａ及び図１１Ｂないし図１７Ａ及び図１７Ｂには、ファスナー部位２，３が閉方向Ｘ（例えば１３Ａを参照のこと）に沿って互いに取り付けられることが可能で且つ閉位置にて互いに保持される、ファスナー装置１の第２の例的実施形態が示されている。
【００７３】
図１３Ａ及び図１３Ｂの分解図から見て取れるように、第１のファスナー部位２は、円筒カラー２０１が形成された本体部２０を含む。円筒カラー２０１の周囲には、歯部２５が周回状に延在している。歯部２５の歯は、鋸歯状の形態を有している。本体部２０には、さらに、磁石エレメント２３が配置されている。
第２のファスナー部位３は、巻回しエレメント３５が固定的に（例えば、一体的に）結合している作動エレメント３４を含む。巻回しエレメント３５は溝３５３を有する。溝３５３に引張エレメント４が収容されることで、当該引張エレメント４は巻回しエレメント３５に巻き付けられることが可能である。作動エレメント３４には、第１のファスナー部位２における磁石エレメント２３と磁気吸引作用によって相互作用する磁石エレメント３３が固定されている。
【００７４】
巻回しエレメント３５には、第１のファスナー部位２へと面する側に、歯部３５１が形成されている。ファスナー部位２，３を互いに取り付ける際には、図１４Ａ〜図１４Ｄに示すように、巻回しエレメント３５の前記歯部３５１が第１のファスナー部位２の本体部２０における歯部２５と係合する。
ファスナー部位２，３が互いに取り付けられると、さらに、円筒カラー２０１が作動エレメント３４内に係合し、これによって当該円筒カラー３０１が作動エレメント３４へと回転可能に且つ軸方向に移動可能に取り付けられる。
【００７５】
巻回しエレメント３５の歯部３５１および第１のファスナー部位２の歯部２５は、いずれも鋸歯状の形態を有している。これにより、図１５Ａ〜図１５Ｄ及び図１６Ａ〜図１６Ｄに示すように、第２のファスナー部位３が巻回しエレメント３５及び作動エレメント３４と共に、第１のファスナー部位２に対して巻取方向Ｖへと動かされることができる。このとき、歯部２５，３５１の歯同士が互いの上をスライドして互いに通り越し得ることで、ファスナー部位２，３は軸方向に互いに変位する。このようにして、ファスナー部位２，３が互いに取り付けられたときの歯部２５，３５１は、巻取方向Ｖへの巻回しエレメント３５の回転については許可することにより、当該巻回しエレメント３５に配された引張エレメント４が締められるようにする一方で、巻取方向Ｖの反対方向への動きについてはロックすることにより、ファスナー部位２，３が互いに取り付けられた状態では引張エレメント４が巻き出されることができないようにする、一種のフリーホイールを提供している。
【００７６】
磁石エレメント２３，３３の磁気的な相互作用により、ファスナー部位２，３は、互いに保持されるだけでなく回転後も、歯部２５，３５１が互いに形状係合する位置へと常に移行する。
ファスナー部位２，３を互いに切り離すには、当該ファスナー部位２，３が閉方向Ｘの反対方向へと互いに取り外され得る。これにより、歯部２５，３５１間の相互作用も解消されるので、引張エレメント４が巻回しエレメント３５から巻き出されることが可能となる。
【００７７】
図１１Ａ及び図１１Ｂないし図１７Ａ〜図１７Ｄの例的実施形態では、作動エレメント３４に固定的に結合した巻回しエレメント３５と共に、第２のファスナー部位３の全体が回転する。これにより、極めて単純なファスナー装置１がもたらされる。
図１１Ａ及び図１１Ｂないし図１７Ａ〜図１７Ｄの例的実施形態での第２のファスナー部位３は、前記閉位置にて、巻取方向Ｖへと第１のファスナー部位２に対して回転可能となっている。対照的に、図１８Ａ及び図１８Ｂに示す例的実施形態での第１のファスナー部位２における歯部２５及び第２のファスナー部位３における歯部３５１は、当該ファスナー部位２，３が互いに取り付けられているときに当該ファスナー部位２，３同士の（あらゆる方向の）回転が不可能となるように（むしろ、歯部２５，３５１の係合によってロックされるように）形成されている。
つまり、この例的実施形態では、引張エレメント４を巻回しエレメント３５に巻き付けて締めるということが、ファスナー部位２，３を互いに取り付ける前にしか可能でない。同様に、引張エレメント４を再度緩めるということも、ファスナー部位２，３を互いに取り外してからでしか可能でない。
【００７８】
図１９Ａ及び図１９Ｂないし図２６Ａ〜図２６Ｄに示す例的実施形態において、第１のファスナー部位２は、円筒カラー２０１が形成された本体部２０を含む。円筒カラー２０１は、リング２５１により互いに連結した複数の歯部エレメント２５０を有する歯部手段２５を囲繞している。組付後の位置では、歯部エレメント２５０が、円筒カラー２０１における開口部２０２から径方向外方に突出し、第２のファスナー部位３の巻回しエレメント３５における歯部３５１との動作可能な連結状態に置かれることができる。
【００７９】
第２のファスナー部位３は、巻回しエレメント３５と固定的に結合した作動エレメント３４を含む。作動エレメント３４にはデテント手段３７が設置されている。デテント手段３７は、リング状の予圧エレメントにより連結した複数のデテント突部３７１を含むデテントエレメント３７０を有している。デテント手段３７は操作エレメント３７５により操作される。
【００８０】
例えば図２１Ｃの断面図から見て取れるように、デテント手段３７は、作動エレメント３４の本体部３４０内に収容されて且つ当該デテント手段３７のデテント突部３７１で本体部３４０から径方向に突出する。ファスナー部位２，３同士の取付時には、図２２Ａ〜図２２Ｄに示すように第１のファスナー部位２の円筒カラー２０１が作動エレメント３４内へと軸方向に係合して当該作動エレメント３４０の本体部３４０周囲に係合することで、図２３Ａ〜図２３Ｄ及び図２４Ａ〜図２４Ｄから見て取れるようにデテント突部３７１が径方向内方へと脇に追いやられて、最後に図２４Ａ〜図２４Ｄのファスナー装置１の前記閉位置では、当該デテント突部３７１が円筒カラー２０１の内側にある周回状の環状溝の形態のデテント凹部２０３に係合する。
これにより、前記閉位置にてファスナー部位２，３が互いに拘束される。このようにして、当該ファスナー部位２，３は、デテント手段３７によって互いに軸方向の適切な位置
に保持される。
【００８１】
ファスナー部位２，３同士の取付時には、例えば図２４Ｂの部分断面図から見て取れるように歯部２５，３５１が互いに係合する。この場合の作動エレメント３４は、巻取方向Ｖへと第１のファスナー部位２に対して巻回しエレメント３５と一緒に動くことが可能とされ、このときの歯部エレメント２５０は、図２５Ａ〜図２５Ｄから見て取れるように巻回しエレメント３５の歯部３５１の歯によって脇に追いやられることで円筒カラー２０１内へと径方向内方に押し込まれる。
【００８２】
このようにして、巻回しエレメント３５は引張エレメント４を巻き取るように巻取方向Ｖへと回転されることが可能である。しかし、巻取方向Ｖの反対方向への第１のファスナー部位２に対する巻回しエレメント３５の回転運動については、第２のファスナー部位３における歯部３５１に対する第１のファスナー部位２における歯部エレメント２５０の係合によってロックされるため巻回しエレメント３５からの引張エレメント４の巻出しが不可能となっている。
巻回しエレメント３５が第１のファスナー部位２に対して回転する際、第１のファスナー部位２と第２のファスナー部位３は、デテント手段３７によるデテント係合によって互いに軸方向の定位置に留まる。この場合の巻回しエレメント３５の回転は、第１のファスナー部位２の歯部２５の歯部エレメント２５０が径方向に変位することによって可能となる。
【００８３】
ファスナー部位２，３を互いに切り離すには、ユーザが、作動エレメント３４上の操作エレメント３７５を手動で（図２６Ａの作動方向Ｄに）押し得る。結果として操作エレメント３７５は、環状の予圧エレメント３７３に形成された斜面付き乗上げ体３７２へと、傾斜斜面が形成された乗り上げ体（Auflaufelement）３７６により乗り上げることで、その予圧エレメント３７３を変形させる。これにより、図２６Ｃから見て取れるように、デテント突部３７１が径方向内方に引き込まれることで当該デテントエレメント３７１と円筒カラー２０１におけるデテント凹部２０３との係合が解消されて、ファスナー部位２，３を閉方向Ｘの反対方向へと互いに軸方向に取り外すことが可能となる。
【００８４】
図１９Ａ及び図１９Ｂないし図２６Ａ〜図２６Ｄの例的実施形態においても、ファスナー部位２，３のそれぞれは、当該ファスナー部位２，３の取付時に磁気吸引作用によって相互作用することで当該ファスナー部位２，３同士の取付けを磁気的に支援する磁石エレメント２３，３３を含んでいる。
【００８５】
図２７Ａ〜図２７Ｄには、他の例的実施形態が示されている。同実施形態は、第１のファスナー部位２と巻回しエレメント３５との間で動作する歯部２５，３５１に関して、図１１Ａ及び図１１Ｂないし図１７Ａ及び図１７Ｂに基づいて上述した例的実施形態と同様の設計である。この点に関しては、上記の説明を参照されたい。
図２７Ａ〜図２７Ｄの例的実施形態は、第２のファスナー部位３に設けられたデテント手段３７を備えている。デテント手段３７は、第２のファスナー部位３が第１のファスナー部位２へとデテント作用により（したがって、形状係合作用により）閉方向Ｘに抗して保持されるように、ファスナー部位２，３を前記閉位置にて互いに拘束する役割を果たす。
【００８６】
この種のデテント手段３７の使用により、磁気を利用しない形態のファスナー装置１が可能となる。つまり、ファスナー装置１において磁石エレメントを省くということが基本的に可能となる。しかしながら、デテント手段３７に加えて磁石エレメントをさらに使用するということも考えられ得て且つ可能である。
【００８７】
デテント手段３７は、係合エレメント３８を有している。係合エレメント３８は、作動エレメント３４内の収容空間内において環状カラー３８１で軸方向に移動可能に収容されている。係合エレメント３８は、渦巻きばねの形態のばねエレメント３８４により、作動エレメント３４に対してばね予圧されている。環状カラー３８１から延出する円筒状の本体部３８０には、複数の収容開口部３８２が、互いに直径方向反対側に形成されている。当該収容開口部には、ボールの形態のデテントエレメント３８５が収容されている。デテントエレメント３８５は、ファスナー装置１の前記閉位置（図２７Ｄ）にて、第１のファスナー部位２の円筒カラー２０１の内側において周回状に延びる環状溝の形態のデテント凹部２０３へとデテント作用を伴って係合する役割を果たす。これにより、図２７Ｄから見て取れるように、前記閉位置にて円筒カラー２０１に係合する係合エレメント３８と当該円筒カラー２０１との間にデテント係合が生じ、これによってファスナー部位２，３が互いに拘束される。
【００８８】
係合エレメント３８の中央開口３８３内では、操作エレメント３９が閉方向Ｘに沿って軸方向に案内される。操作エレメント３９は、円筒状の構造を有しており、前記閉位置では、有底孔の形態(Form eines Sacklochs)の開口３９３内に位置した、ばねエレメント３９４によって第１のファスナー部位２に弾性的に支持される。操作エレメント３９は、さらに、当該操作エレメント３９が係合エレメント３８に対して作動されていないときには、端側の環状カラー３９１によって係合エレメント３８に対して移動制限するかたちで当接している。
【００８９】
図２７Ｄから見て取れるように、操作エレメント３９は、当該操作エレメント３９の外周面に、互いに直径方向反対側に位置した２つのロック解除開口部３９２を有している。前記閉位置では、当該ロック解除開口部３９２がデテントエレメント３８５と軸方向に異なる高さに位置することで、デテントエレメント３８５が操作エレメント３９の円筒状の本体部３９０の外周面と当接する。これにより、デテントエレメント３８５は、円筒カラー２０１の内側におけるデテント凹部２０３とのデテント係合状態に保持される。
【００９０】
前記閉位置（図２７Ｄ）では、作動エレメント３４がばねエレメント３８４のばね予圧によって第１のファスナー部位２の方向へと押圧され、ベース面２４０が巻回しエレメント３５の環状カラー３５４に接触することにより、巻回しエレメント３５が第１のファスナー部位２の歯部２５との係合状態に押し込まれる。このようにして、前記閉位置では、巻回しエレメント３５と第１のファスナー部位２とが歯部係合することにより、第２のファスナー部位３がデテント作用を伴って第１のファスナー部位２へと保持される。
【００９１】
ファスナー装置１の前記閉位置において作動エレメント３４が（したがって、当該作動エレメント３４と一緒に巻回しエレメント３５も）巻取方向Ｖへと回転した場合には、歯部２５，３５１が互いの上をスライドすることで、巻回しエレメント３５の（小規模の）軸方向移動［これにより、作動エレメント３４の（小規模の）軸方向移動］が生じる。このとき、デテント手段３７の係合エレメント３８がデテントエレメント３８５によって第１のファスナー部位２の円筒カラー２０１に対して軸方向に固定された状態に保持されているため、ばねエレメント３８４のばね予圧に抗して巻回しエレメント３５の及び作動エレメント３４の軸方向変位が起こる。
作動エレメント３４及び巻回しエレメント３５を回転させると、歯部２５，３５１がばねエレメント３８４のばね予圧により互いに再係合する。
【００９２】
ファスナー部位２，３を互いに切り離すには、ユーザが、操作エレメント３９を係合エレメント３８へと作動方向Ｄに押し得る。これにより、操作エレメント３９の本体部３９０が係合エレメント３８内で閉方向Ｘに沿って軸方向に調節されるので、ロック解除開口部３９２がデテントエレメント３８５と同じ軸方向高さに移動し、これによってデテントエレメント３８５が径方向内方に変位し得る。これにより、係合エレメント３８と円筒カラー２０１との間のロックデテント係合が解消されるので、ファスナー部位２，３が閉方向Ｘの反対方向に互いに取り外されることが可能となる。
【００９３】
ファスナー装置１を再び閉じるには、第２のファスナー部位３が第１のファスナー部位２へと再び閉方向Ｘに取り付けられ得て、これにより係合エレメント３８が円筒カラー２０１の開口に係合すると共にデテントエレメント３８５が円筒カラー２０１内の周回状溝の形態のデテント凹部２０３にデテント作用を伴って係合する。これにより、歯部２５，３５１も互いに歯部係合状態となり、ファスナー装置１が図２７Ｄに示す前記閉位置を取るようになる。
【００９４】
図２８には、図２７Ａ〜図２７Ｄの例的実施形態に変更を施した一例的実施形態が示されている。同実施形態は、図２７Ａ〜図２７Ｄの例的実施形態と外観が類似している。図２８の例的実施形態におけるデテント手段３７は、閉方向Ｘを横切るようにして延びる連続孔３８７が形成された、係合エレメント３８を有している。連続孔３８７には、２つの球状のデテントエレメント３８５が配置されており、かつ、当該デテントエレメント３８５は、ばねエレメント３８６によって互いに予圧されている。ファスナー部位２，３が互いに取り付けられると、図２８から見て取れるように、係合エレメント３８が円筒カラー２０１に係合すると共に、デテントエレメント３８５が円筒カラー２０１の前記開口の内側におけるデテント凹部２０３にデテント作用を伴って係合する。
【００９５】
このとき、前記閉位置でのこのデテント係合は、ばねエレメント３８６によるばね予圧によって維持される。このデテント係合を解除したい場合には、力を十分に加えて第２のファスナー部位３が第１のファスナー部位２から閉方向Ｘの反対方向に引き抜かれ得る。これにより、デテントエレメント３８５は、溝状のデテント凹部２０３の上縁部に乗り上げることで、自動的に径方向内方にオフセットし且つこれによって当該デテント凹部２０３から脱係合する。このように、ファスナー部位２，３間のデテント係合は、係合エレメント３８を別途作動させずとも解除することが可能である。
【００９６】
図２８の例的実施形態は、同図の断面図から見て取れるように磁石エレメント２３が第１のファスナー部位２の本体部２０に配置されて且つ磁石エレメント３３が係合エレメント３８の本体部３８０に配置されていることで、磁気を利用した形態となっている。これにより、ファスナー部位２，３は（さらに）磁気的に相互作用することになり、これによって当該ファスナー部位２，３の取付けが容易になる。
しかしながら、図２８の例的実施形態は、磁石エレメントを持たない純粋に機械的な形態とされてもよい。
これまでに述べた例的実施形態での第１のファスナー部位２及び第２のファスナー部位３における歯部手段２５，３５１は、前記閉位置にて当該ファスナー部位２，３間に（少なくとも一定の閾値トルクまでの荷重に耐えることのできる）形状係合保持を生じさせるうえで、基本的に全く別のものに設計されてもよい。
【００９７】
図２９Ａ及び図２９Ｂないし図３３Ａ及び図３３Ｂには、本明細書で説明するタイプのファスナー装置１に使用されることが可能な、異なる歯の幾何形状の歯部手段２５，３５１の各種実施形態が示されている。
つまり、図２９Ａ及び図２９Ｂの例的実施形態では、各々の歯部手段２５，３５１の歯が、乗上斜面２５３の形態で閉方向Ｘに対して斜めに延びる歯面と、略垂直方向に延びる歯面２５４とを有しており、歯面２５４には、巻取方向Ｖに沿って突出する突出エレメント２５２が形成されている。巻取方向Ｖとは逆の荷重方向Ｂに荷重が働いた場合には、歯部手段２５の歯の突出エレメント２５２と歯部手段３５１の歯の突出エレメント２５２とが互いに係合することで、（巻取方向Ｖの反対方向である）当該荷重方向Ｂへの歯部手段２５，３５１の動きが阻止される。これにより、ファスナー装置１が当該ファスナー装置１の閉位置に位置しているときの巻回しエレメント３５は、第１のファスナー部位２に対して巻取方向Ｖの反対方向である荷重方向Ｂに回転されることができない。
【００９８】
図２９Ａ及び図２９Ｂの例的実施形態では、さらに、歯部手段３５１の各歯（又は少なくとも一部の歯）の突出エレメント２５２にデテントラグ２５５が形成されている。当該デテントラグは、例えば、歯部手段２５の対応する歯の突出エレメント２５２における対応するデテント窪みにデテント作用を伴って係合することにより、荷重方向Ｂに荷重が働いた場合の歯部手段２５，３５１の歯同士のロック係合をさらにロックすることができる。
【００９９】
図３０Ａ及び図３０Ｂの例的実施形態は、図２９Ａ及び図２９Ｂの例的実施形態と違って、デテントラグ２５５が歯部手段３５１の歯の突出エレメント２５２に設けられていないという点以外は、図２９Ａ及び図２９Ｂの例的実施形態と同じである。
図３１Ａ及び図３１Ｂの例的実施形態では、歯部手段２５，３５１が鋸歯状の歯部の形態である。この場合の歯部手段２５，３５１の歯はそれぞれ、乗上げ斜面２５３の形態の１つの歯面と、垂直方向に延びる１つの歯面２５４とを有している。巻取方向Ｖとは逆の荷重方向Ｂへの歯部手段２５，３５１の荷重負荷がロックされる。
【０１００】
図３２Ａ及び図３２Ｂに示す例的実施形態では、図３１Ａ及び図３１Ｂの例的実施形態に比べて、歯部手段２５，３５１の歯が歯面２５４においてアンダーカットされている。すなわち、歯部手段２５，３５１の歯が、閉方向Ｘに対して斜めに傾斜している。歯部手段２５，３５１に巻取方向Ｖとは逆の荷重方向Ｂの荷重がかかった場合には、当該歯部手段２５，３５１が互いにロックされる。
【０１０１】
図２９Ａ，図２９Ｂ、図３０Ａ、図３０Ｂ、図３２Ａ及び図３２Ｂの例的実施形態では、荷重方向Ｂに荷重が働いた場合に歯部手段２５，３５１の係合が自己増強する。これにより、ファスナー部位２，３が、荷重の作用によって閉方向Ｘに互いに引き寄せられる。さらに、突出エレメント２５２による形状係合により又は前記アンダーカット部により、ファスナー装置１は閉方向Ｘの反対方向への開動作についてもロックされる。具体的に述べると、純粋な回転接線方向に働かずむしろ閉方向Ｘの反対方向の成分を含んでいる荷重力についても、受け止めて散逸させることができる。
【０１０２】
図３３Ａ及び図３３Ｂの例的実施形態では、歯部手段２５，３５１の歯が両側の歯面２５３，２５４で斜めに傾斜して乗上斜面を形成しており、歯部手段２５，３５１間で十分な力が働くと、当該歯部手段２５，３５１が軸方向に互いに変位しながら互いの上を巻取方向Ｖにも巻取方向Ｖの反対方向にスライドすることができる。つまり、図３３Ａ及び図３３Ｂの例的実施形態では、歯部手段２５，３５１が互いに巻取方向Ｖにも巻取方向Ｖの反対方向にもロックされておらず、むしろ、歯部手段２５，３５１間に働くトルクが十分に高ければラチェットのようにして互いの上をスライドすることができる。
【０１０３】
図３４Ａ〜図３４Ｄに示す例的実施形態では、歯部手段２５，３５１の歯が当該歯の歯裏部で、円錐形歯車の場合のように巻取方向Ｖに対しても閉方向Ｘに対しても斜めに延びている。これにより、歯部手段２５，３５１の歯のうちの、巻取方向Ｖの反対方向に荷重が働いた場合に互いに係合して互いに支持し合う面積の大きさを増やすことができる。
【０１０４】
図３５〜図６８には、これまでに述べたタイプの例的な一実施形態に従って構成され得るファスナー装置１の用途の、各種例的実施形態が示されている。
図３５の例的実施形態では、ファスナー装置１が、靴５を閉じて締める役割を果たす。この目的のために、ファスナー部位３は、靴ひもの形態の引張エレメント４を締めるように靴５の連結部におけるファスナー部位２に取り付けられ得る。
図３６には、靴５の他の例的実施形態が示されている。同実施形態は、靴ひもの形態の引張エレメント４の巻き方が図３５の例的実施形態と異なる。
【０１０５】
図３５及び図３６の例的実施形態では、靴ひもの形態の引張エレメント４の一方の端部がファスナー装置１のファスナー部位３に固定されており、作動エレメント３４を巻回しエレメント３５と一緒にファスナー部位２に対して回転させることで締めることができる。この場合、手動でファスナー部位３を引っ張ることで締めることも可能であり、そのときには靴ひもの形態の引張エレメント４を締めてからファスナー部位３をファスナー部位２に固定することになる。
【０１０６】
図３７及び図３８の例的実施形態では、靴ひもの形態の引張エレメント４の２つの端部が、ファスナー装置１のファスナー部位３に連結されている（この場合の引張エレメント４はループとして巻かれる）。この場合、ファスナー部位３をファスナー部位２に対して回転させることで、靴ひもの形態の引張エレメント４を２つの端部と一緒に巻き取り且つこれによって締めることができる。図３８に示すように、手６で引張エレメント４を引っ張ることにより当該引張エレメント４を手動で締めてから、ファスナー部位３をファスナー部位２に配置するということも可能である。
【０１０７】
図３９の例的実施形態では、ここでも、靴ひもの形態の引張エレメント４の２つの端部がファスナー装置１のファスナー部位３に連結されている。よって、ファスナー部位３をファスナー部位２に対して回転させることにより当該２つの端部を巻き取ることで、靴５を閉じて締めることができる。この場合の靴ひもの形態の引張エレメント４は、締付けエレメント５０に引き回されるものとされる。このようにして、引張エレメント４をファスナー部位３の巻回しエレメント３５に巻き付けることによって靴５を締めることができる。
【０１０８】
図４０には、例的な他の実施形態が示されている。同実施形態では、引張エレメント４が締付けエレメント５０に引き回されるものとされ、かつ、当該引張エレメント４の一方の端部がファスナー装置１のファスナー部位３に設置されていることで、ファスナー装置１によって当該引張エレメント４を締めることができる。
【０１０９】
図４１の例的実施形態では、靴ひもの形態の引張エレメント４が靴５のソール５１に（も）引き回されるものとされ、かつ、当該引張エレメント４の一方の端部がファスナー装置１のファスナー部位３に連結されている。これにより、ファスナー装置１によって靴５を閉じて締めることができる。
【０１１０】
図４２に示す例的実施形態でのファスナー装置１は、バンドの形態の引張エレメント４によってズボンの足部５２を靴５と一緒に締め付ける役割を果たす。この目的のために、引張エレメント４は、ズボンの足部５２の周囲を延びており、ファスナー装置１によって靴５へと固定されることより、ファスナー部位３をファスナー部位２に対して回転させることでズボンの足部５２を靴５に対して締め付けるということが可能になる。
【０１１１】
図４３には、他の例的実施形態が示されている。例的なこの実施形態においても、ズボンの足部５２におけるアイレットを通って延びる引張エレメント４をファスナー装置１により靴５に対して締め付けることができるため、ズボンの足部５２を靴に対して締め付けるということが可能になっている。
図４４の例的実施形態においても、ズボンの足部５２が靴に対して締め付けられることが可能とされている。この場合の引張エレメント４は、靴５のソール５１の回りにバンドの形態で延びるものとされ、ファスナー装置１によって靴５に締め付けられることができる。
【０１１２】
図４５及び図４６の例的実施形態でのファスナー装置１は、例えば、ベスト、ジャケット等の衣服５を閉じて締める役割を果たす。バンド又はコードの形態の引張エレメント４が、留めポイント５３で衣服５に固定されており、かつ、当該衣服５の開き溝の両側における締付けエレメント５０に引き回されることで、図４６に示すように当該衣服５を閉じることができる。そして、ファスナー部位３をファスナー部位２に配置し、ファスナー部位３をファスナー部位２に対して回転させることで、衣服５を締めることができる。
【０１１３】
図４７の例的実施形態においても、ファスナー装置１は衣服５を閉じる役割を果たす。この場合、２つのファスナー装置１が、２つの引張エレメント４を締めるために設けられている。各々の引張エレメント４は、衣服５の開き溝の片側における留めポイント５３でそれぞれ固定されており、各自のファスナー部位３が衣服５の前記開き溝のもう片方の側におけるファスナー装置１の対応するファスナー部位２に配置されることで、これらの引張エレメント４を締めることができる。
【０１１４】
図４８及び図４９の例的実施形態でのファスナー装置１は、足首用バンドの形態の医療用補助具５を足７に対して閉じて締める役割を果たす。当該足首用バンドの１つの端部に連結されたファスナー部位３を当該足首用バンドの別の端部に連結されたファスナー部位２に配置し、かつ、当該足首用バンド上に延びる引張エレメント４を締めることで、当該足首用バンドを閉じて締めることができる。
【０１１５】
図５０及び図５１には、足首用バンドの形態の医療補助具５の他の例的実施形態が示されている。この場合、１つの端部がファスナー部位２に連結されて別の端部がファスナー部位３に連結されている引張エレメント４が、方向変換手段(Umlenkung)５４に引き回されることができる。これにより、ファスナー部位３をファスナー部位２に取り付けることで、引張エレメント４のループが形成される。当該ループは、ファスナー部位３をファスナー部位２に対して回転させることで締められて、これにより前記足首用バンドを閉じて締めることができる。
【０１１６】
図５２には、ネックブレースの形態の装具の形態の医療用補助具５の例的実施形態が示されている。この場合のファスナー装置１は、閉じて締める役割を果たす。ファスナー部位３に連結された引張エレメント４は、留めポイント５３を始点として締付けフック５０に引き回されて、かつ、ファスナー部位３をファスナー部位２に対して回転させることで締められることができる。
【０１１７】
図５３及び図５４には、例えば自転車用ヘルメット等のヘルメット５の例的な一実施形態が示されている。この場合のファスナー装置１は、ベルト５５を閉じて締める役割を果たす。引張エレメント４は、ベルト５５の一構成部品であり、ファスナー部位３（具体的に述べると、ファスナー部位３の巻回しエレメント３５）に巻き付けられることでベルト５５を締めることができる。
【０１１８】
図５５及び図５６の例的実施形態でのファスナー装置１は、例えば自転車用ヘルメット等のヘルメット５の顎ストラップ５６を締める役割を果たす。この場合のファスナー装置１のファスナー部位３は、ファスナー部位２に配置されて当該ファスナー部位２に対して回転されることによってストラップ５６を締め得る。
【０１１９】
図５７の例的実施形態でのファスナー装置１は、照明の形態の物品５の高さを調節する役割を果たす。この場合の引張エレメント４は、前記照明を吊るす役割を果たす。ファスナー装置１のファスナー部位３を回転させることにより、引張エレメント４の長さが変更され得て、これにより前記照明の高さを調節することができる。
【０１２０】
図５８の例的実施形態でのファスナー装置１は、絵や写真の形態の物品５を掛ける役割を果たす。ファスナー部位３を回転させることにより、引張エレメント４の長さが変更され得て、これにより前記絵や写真の掛かり方を調整することができる。
【０１２１】
図５９〜図６１に示す例的実施形態でのファスナー装置１は、照明５の形態の物品を電気的に接続する役割を果たす。この目的のために、ファスナー部位２はプラグの形態とされる。ファスナー部位３が当該プラグの形態のファスナー部位２に対して回転されることにより、引張エレメント４を形成する電気ケーブルのうちの自由に延びている長さを変更することができる。
【０１２２】
図６２の例的実施形態でのファスナー装置１は、ローラブラインドの形態の物品５を張る役割を果たす。ファスナー部位３は、引張エレメント４を介して前記ローラブラインドに接続されている。ファスナー部位３が例えばフレーム等に設置されているファスナー部位２へと配置されて且つ回転されることで、引張エレメント４が巻き取られて且つこれによって前記ローラブラインドを調節することができる。
【０１２３】
図６３の例的実施形態では、図６２の例的実施形態とは違って、引張エレメント４の２つの端部がファスナー部位３に連結されている。これにより、引張エレメント４の当該２つの端部は、ファスナー部位３の回転によって同時に当該ファスナー部位３の巻回しエレメント３５に巻き取られることができる。
【０１２４】
図６４に示す例的実施形態でのファスナー装置１は、ストラップの形態の引張エレメント４を荷物に対して締め付ける役割を果たす。
図６５に示す例的実施形態でのファスナー装置１は、リュックサックの形態の荷物上のバンド又はコードの形態の引張エレメント４を締めることにより、物体を当該荷物に固定する役割を果たす。
図６６に示す例的実施形態でのファスナー装置１は、例えば携帯電話等の物体５を自転車（特には、自転車のハンドルバー）に固定する役割を果たす。この場合の引張エレメント４は、物体５に、かつ、その一部がファスナー部位３の巻回しエレメント３５に、巻き取られることによって締めることができる。
図６７には、例えば携帯電話等の物体５を自転車に固定するための、引張エレメント４の巻き方が異なる例的な他の実施形態が示されている。
【０１２５】
図６８に示す例的一実施形態でのファスナー装置１は、乗り物の荷室内に例えば荷物等の物体を固定する役割を果たす。このときの引張エレメント４は、前記荷物に引き回されることによって当該荷物を、前記荷室の床上の定位置に保持する。ファスナー装置１によって引張エレメント４は、前記荷物を固定するように締められることができる。
図６９〜図７３には、ファスナー装置１の例的なさらなる実施形態が示されている。この場合のファスナー部位２，３は、閉方向Ｘに沿って互いに取り付けられることが可能で且つ閉位置にて互いに保持される。
図６９〜図７３の例的実施形態では、引張エレメント４が、ファスナー部位３のスリーブの形態の巻回しエレメント３５に巻き付けられることが可能なストラップの形態とされる。ファスナー部位３が、例えばバックル等を含むファスナー部位２に取り付けられ得る。そして、ファスナー装置１により、引張エレメント４の端部同士を互いに連結して且つ互いに締めることができる。
【０１２６】
ファスナー部位３は、ハンドレバーが一体的に形成された作動エレメント３４を含む。当該ハンドレバーは、係合手段３４５により、巻回しエレメント３５の係合手段３５５との係合状態にされ得る。これにより、巻回しエレメント３５は、作動エレメント３４を用いて巻取方向Ｖへとファスナー部位２に対して回転されることが可能となる。
特に図７３の断面図から見て取れるように、作動エレメント３４は、係合開口３４７を持つペグ３４６を有している。作動エレメント３４は係合開口３４７により、ファスナー部位２の本体部２０における円筒部２０１上へと閉方向Ｘに取り付けられて、これによってファスナー部位２，３を互いに連結することができる。
【０１２７】
ファスナー部位２，３が互いに分離しているときには、例えば作動エレメント３４と巻回しエレメント３５との間のばね予圧等により、係合手段３４５，３５５は互いに係合していない。これにより、巻回しエレメント３５は、作動エレメント３４に対して自由に回転されることが可能となり、これによって例えば、引張エレメント４が巻回しエレメント３５から巻き出されることができる。閉じるには、作動エレメント３４のペグ３４６における係合開口３４７がファスナー部位２の円筒部２０１と係合するようにファスナー部位３がファスナー部位2に取り付けられて、巻回しエレメント３５がファスナー部位２の本体部２０に支持される。円筒部２０１における磁石エレメント２３及び作動エレメント３４のペグ３４６における磁石エレメント３３の磁気吸引により（図７３を参照のこと）、作動エレメント３４が巻回しエレメント３５に引き寄せられる。これにより、係合手段３４５，３５５が形状係合によって互いに係合する。このようにして、作動エレメント３４と巻回しエレメント３５との間に動作可能な連結が生じる。これにより、ファスナー部位２，３が互いに連結されたときには、作動エレメント３４と巻回しエレメント３５とが一緒に回転されることが可能になるので、引張エレメント４を巻回しエレメント３５に巻き付けて且つこれによって当該引張エレメント４を締めることができる。
【０１２８】
巻回しエレメント３５は、本体部２０へと面する端部に、鋸歯状の歯部の形態の歯部手段３５１を有している。歯部手段３５１は、ファスナー部位２，３が互いに連結されると本体部２０における歯部手段２５に係合する。歯部手段２５，３５１の係合には、引張エレメント４を巻回しエレメント３５上で締めるようにファスナー部位２，３を巻取方向Ｖへと互いに回転させることができる一方で、巻取方向Ｖの反対方向には回転させることができないという効果がある。
ファスナー装置１を切り離すには、ファスナー部位２，３が、閉方向Ｘの反対方向に互いに引き離される。これにより、当該ファスナー部位２，３を互いに分離することができる。
【０１２９】
図７４Ａ及び図７４Ｂには、ファスナー部位２，３が分離している場合のファスナー装置１（図７４Ａ）、および閉じられた場合のファスナー装置１（図７４Ｂ）が示されている。ファスナー装置１は、例えば、腰ベルトの形態のストラップを締める役割を果たし得る。
図７５には、上記の様式と同様の様式によりファスナー部位２，３が閉方向Ｘに互いに取り付けられることが可能な、ファスナー装置１の例的なさらなる実施形態が示されている。
図７５の例的実施形態では、ファスナー部位２に、例えばかさ歯車機構、ウォーム歯車機構等の形態であり得る歯車機構２６が設けられている。歯車機構２６は、ファスナー部位３をファスナー部位２に対して回転させることにより、歯部手段２５（当該歯部手段２５は、例えば図６９から見て取れるように、ファスナー部位２，３が互いに連結しているときにファスナー部位３の歯部手段３５１と係合している）を介して引張エレメント４を締める役割を果たす。このようにして、図７５の例的実施形態では、ファスナー部位２に設けられた例えば手動で作動され得る歯車機構により、ファスナー部位２，３間の相対回転が実現される。
【０１３０】
図７６ないし図７９Ａ及び図７９Ｂには、まさにこのような歯車機構２６が巻回しエレメント３５を締めるために実現された、さらなる例的実施形態が示されている。
図７６ないし図７９Ａ及び図７９Ｂの例的実施形態では、歯車機構２６が、締付け歯車機構として構成されている。この場合、締付けレバー２６０が、ファスナー部位２の本体部２０上でピボット軸２６５を中心としてピボット可能に取り付けられており、かつ、ばねエレメント２６１によって（図７９Ａ及び図７９Ｂに示す）基本位置へと本体部２０に対して予圧されている。
【０１３１】
上記の例的実施形態では、ファスナー部位３が、本体部２０の円筒部２０１へと巻回しエレメント３５と共に取り付けられ得て、かつ、連結位置では、これまでに述べたものと同じく歯部手段３５１によって本体部２０の対応する歯部手段２５と係合している。巻回しエレメント３５には、当該巻回しエレメント３５の周囲に延在して歯車機構２６と相互作用する役割を果たす歯部の形態の締付け係合手段３５６が形成されている。
歯車機構２６の締付けレバー２６０には、係合レバー２６２が、ピボット軸２６３を中心としてピボット可能に配置されている。当該係合レバーは、巻回しエレメント３５の締付け係合手段３５６に係合する役割を果たす。
【０１３２】
ファスナー部位２，３を互いに取り付けるには、図７８Ａ及び図７８Ｂに示すように締付けレバー２６０を前記基本位置からピボット方向Ｐ１へと変位させることで、係合レバー２６２を、ファスナー部位２，３が互いに連結されたときに巻回しエレメント３５が取ることになる領域から除き得る。これにより、ファスナー部位２，３は、歯車機構２６に邪魔されることなく簡単に互いに取り付けられることができる。
【０１３３】
締付けレバー２６０が再び解放されると、歯車機構２６は、係合レバー２６２が締付け係合手段２５６と係合する図７９Ａ及び図７９Ｂに示す前記基本位置へとその締付けレバー２６０と共に移行する。
そして、締付けレバー２６０をピボット方向Ｐ２へと変位させると、係合レバー２６２も一緒に動かされて巻回しエレメント３５を巻取方向Ｖへと回転させる。これにより、引張エレメント４が巻回しエレメント３５に巻き付けられる。このようにして、引張エレメント４が締められる。
【０１３４】
ここで、この締付けは段階的に行われる。ばねエレメント２６１及び当該ばねエレメント２６１で与えられるばね予圧により、締付けレバー２６０は作動後自動的に前記基本位置へとリセットされる。係合レバー２６２は、ばねエレメント２６４（係合レバー２６２は、当該ばねエレメント２６４によって締付けレバー２６０に対して弾性的に予圧されている）を弾性的に変位させながら締付け係合手段３５６の上をスライドする。このようにして、引張エレメント４の締付けは、締付けレバー２６０を繰返し作動させることによって段階的に行われる。
ばねエレメント２６４により、フリーホイールも提供される。巻回しエレメント３５は、手で巻取方向Ｖへと回転されることも可能であり得る。このとき、係合レバー２６２は、ばねエレメント２６４を弾性的に変位させながら巻回しエレメント３５の締付け係合手段３５６の上をスライドする。
【０１３５】
本発明の基礎をなす思想は、これまで強調してきた例的実施形態に限定されず、むしろ、根本的に異なる形態により実現されるものとされてもよい。
本明細書で説明するタイプのファスナー装置は、機械式のファスナーと巻取手段とを組み合わせたものである。ファスナー部位同士が、互いに取り付けられることが可能で且つ閉位置にて互いに保持される。ここで、巻回しエレメントにより、引張エレメントを巻き取って且つこれによって締めることができる。これにより、物品同士を互いに連結して互いに締め付けることができる。
前記引張エレメントは、一般的に、例えば引張力を伝えるため（だけ）に適した可撓性のエレメントとして構成される。前記引張エレメントは、例えば、ケーブル、ストラップ、ベルト、バンド等であり得る。
【０１３６】
本明細書で説明するタイプのファスナー装置は、磁石エレメントを使用しない純粋に機械的なファスナー装置として構成されてもよい。しかしながら、磁石エレメントの使用は、第一に簡単な直観的取扱性を実現し、第二にファスナー部位間の保持を向上させるために有利であり得る。
【０１３７】
基本的に、前記ファスナー装置は、根本的に異なる磁気−機械式デテントファスナーを実現するものとされてもよい。例えば、前記ファスナー装置は、磁気−機械式デテント機能が、国際公開第2008/006357号、国際公開第2008/006354号、国際公開第2009/092368号、国際公開第2010/006594号、国際公開第2008/006356号、国際公開第2009/010049号、国際公開第2009/127196号、国際公開第2014/090926号、国際出願  PCT/EP2013/060762号等に記載の設計とされてもよい。
【符号の説明】
【０１３８】
１            ファスナー装置
２            ファスナー部位
２０          本体部
２００        側壁
２０１        円筒カラー
２０２        開口部
２０３        デテント凹部（デテント溝）
２１          アンダーカットエレメント
２２          アンダーカットエレメント
２３          磁石エレメント
２４          ブロッキングエレメント
２４０        軸体
２４１        ばねエレメント
２５          歯部手段
２５０        歯部エレメント
２５１        リング
２５２        突出エレメント
２５３        乗上斜面
２５４        歯面
２５５        デテントラグ
２６          歯車機構手段
２６０        締付けレバー
２６１        ばねエレメント
２６２        係合レバー
２６３        ピボット軸
２６４        ばねエレメント
２６５        ピボット軸
３            ファスナー部位
３０          ハウジングエレメント
３００        円筒カラー
３０１        内部空間
３０２        歯部
３０３        ドーム
３０４        開口部
３０５        デテント溝
３１          アンダーカットエレメント
３２          アンダーカットエレメント
３３          磁石エレメント
３４          作動エレメント
３４０        本体部
３４１        歯部手段
３４２        ペグ
３４３        ロックエレメント
３４４        ばねエレメント
３４５        係合手段
３４６        ペグ
３４７        開口
３５          巻回しエレメント
３５０        巻回し本体部
３５１        歯部手段
３５２        開口
３５３        溝
３５５        係合手段
３５６        締付け係合手段
３６          デテントエレメント
３６０        デテント突部
３７          デテント手段
３７０        デテントエレメント
３７１        デテント突部
３７２        乗上体
３７３        予圧エレメント（リング）
３７４        ばねエレメント
３７５        操作エレメント
３７６        乗上体
３８          係合エレメント
３８０        本体部
３８１        環状カラー
３８２        収容開口部
３８３        開口
３８４        ばねエレメント
３８５        デテントエレメント
３８６        ばねエレメント
３８７        開口
３９          操作エレメント
３９０        本体部
３９１        環状カラー
３９２        ロック解除開口部
３９３        開口
３９４        ばねエレメント
４            引張エレメント
５            物品
５０          締付けフック
５１          ソール
５２          ズボンの足部
５３          固定ポイント
５４          方向変換手段
５５          ベルト
５６          ストラップ
６            手
７            足
Ｂ            荷重方向
Ｄ            作動方向
Ｅ            係合方向
Ｌ            切離し方向
Ｐ１，Ｐ２    ピボット方向
Ｖ            巻取方向
Ｘ            閉方向
Ｙ            開方向
【図１Ａ】
2020508766.tif 000003
【図１Ｂ】
2020508766.tif 000004
【図２Ａ】
2020508766.tif 000005
【図２Ｂ】
2020508766.tif 000006
【図３Ａ】
2020508766.tif 000007
【図３Ｂ】
2020508766.tif 000008
【図３Ｃ】
2020508766.tif 000009
【図３Ｄ】
2020508766.tif 000010
【図４Ａ】
2020508766.tif 000011
【図４Ｂ】
2020508766.tif 000012
【図４Ｃ】
2020508766.tif 000013
【図４Ｄ】
2020508766.tif 000014
【図５Ａ】
2020508766.tif 000015
【図５Ｂ】
2020508766.tif 000016
【図５Ｃ】
2020508766.tif 000017
【図５Ｄ】
2020508766.tif 000018
【図６Ａ】
2020508766.tif 000019
【図６Ｂ】
2020508766.tif 000020
【図６Ｃ】
2020508766.tif 000021
【図６Ｄ】
2020508766.tif 000022
【図７Ａ】
2020508766.tif 000023
【図７Ｂ】
2020508766.tif 000024
【図７Ｃ】
2020508766.tif 000025
【図７Ｄ】
2020508766.tif 000026
【図８Ａ】
2020508766.tif 000027
【図８Ｂ】
2020508766.tif 000028
【図８Ｃ】
2020508766.tif 000029
【図８Ｄ】
2020508766.tif 000030
【図９Ａ】
2020508766.tif 000031
【図９Ｂ】
2020508766.tif 000032
【図９Ｃ】
2020508766.tif 000033
【図９Ｄ】
2020508766.tif 000034
【図１０Ａ】
2020508766.tif 000035
【図１０Ｂ】
2020508766.tif 000036
【図１０Ｃ】
2020508766.tif 000037
【図１０Ｄ】
2020508766.tif 000038
【図１１Ａ】
2020508766.tif 000039
【図１１Ｂ】
2020508766.tif 000040
【図１２Ａ】
2020508766.tif 000041
【図１２Ｂ】
2020508766.tif 000042
【図１３Ａ】
2020508766.tif 000043
【図１３Ｂ】
2020508766.tif 000044
【図１４Ａ】
2020508766.tif 000045
【図１４Ｂ】
2020508766.tif 000046
【図１４Ｃ】
2020508766.tif 000047
【図１４Ｄ】
2020508766.tif 000048
【図１５Ａ】
2020508766.tif 000049
【図１５Ｂ】
2020508766.tif 000050
【図１５Ｃ】
2020508766.tif 000051
【図１５Ｄ】
2020508766.tif 000052
【図１６Ａ】
2020508766.tif 000053
【図１６Ｂ】
2020508766.tif 000054
【図１６Ｃ】
2020508766.tif 000055
【図１６Ｄ】
2020508766.tif 000056
【図１７Ａ】
2020508766.tif 000057
【図１７Ｂ】
2020508766.tif 000058
【図１７Ｃ】
2020508766.tif 000059
【図１７Ｄ】
2020508766.tif 000060
【図１８Ａ】
2020508766.tif 000061
【図１８Ｂ】
2020508766.tif 000062
【図１９Ａ】
2020508766.tif 000063
【図１９Ｂ】
2020508766.tif 000064
【図２０Ａ】
2020508766.tif 000065
【図２０Ｂ】
2020508766.tif 000066
【図２１Ａ】
2020508766.tif 000067
【図２１Ｂ】
2020508766.tif 000068
【図２１Ｃ】
2020508766.tif 000069
【図２１Ｄ】
2020508766.tif 000070
【図２２Ａ】
2020508766.tif 000071
【図２２Ｂ】
2020508766.tif 000072
【図２２Ｃ】
2020508766.tif 000073
【図２２Ｄ】
2020508766.tif 000074
【図２３Ａ】
2020508766.tif 000075
【図２３Ｂ】
2020508766.tif 000076
【図２３Ｃ】
2020508766.tif 000077
【図２３Ｄ】
2020508766.tif 000078
【図２４Ａ】
2020508766.tif 000079
【図２４Ｂ】
2020508766.tif 000080
【図２４Ｃ】
2020508766.tif 000081
【図２４Ｄ】
2020508766.tif 000082
【図２５Ａ】
2020508766.tif 000083
【図２５Ｂ】
2020508766.tif 000084
【図２５Ｃ】
2020508766.tif 000085
【図２５Ｄ】
2020508766.tif 000086
【図２６Ａ】
2020508766.tif 000087
【図２６Ｂ】
2020508766.tif 000088
【図２６Ｃ】
2020508766.tif 000089
【図２６Ｄ】
2020508766.tif 000090
【図２７Ａ】
2020508766.tif 000091
【図２７Ｂ】
2020508766.tif 000092
【図２７Ｃ】
2020508766.tif 000093
【図２７Ｄ】
2020508766.tif 000094
【図２８】
2020508766.tif 000095
【図２９Ａ】
2020508766.tif 000096
【図２９Ｂ】
2020508766.tif 000097
【図３０Ａ】
2020508766.tif 000098
【図３０Ｂ】
2020508766.tif 000099
【図３１Ａ】
2020508766.tif 000100
【図３１Ｂ】
2020508766.tif 000101
【図３２Ａ】
2020508766.tif 000102
【図３２Ｂ】
2020508766.tif 000103
【図３３Ａ】
2020508766.tif 000104
【図３３Ｂ】
2020508766.tif 000105
【図３４Ａ】
2020508766.tif 000106
【図３４Ｂ】
2020508766.tif 000107
【図３４Ｃ】
2020508766.tif 000108
【図３４Ｄ】
2020508766.tif 000109
【図３５】
2020508766.tif 000110
【図３６】
2020508766.tif 000111
【図３７】
2020508766.tif 000112
【図３８】
2020508766.tif 000113
【図３９】
2020508766.tif 000114
【図４０】
2020508766.tif 000115
【図４１】
2020508766.tif 000116
【図４２】
2020508766.tif 000117
【図４３】
2020508766.tif 000118
【図４４】
2020508766.tif 000119
【図４５】
2020508766.tif 000120
【図４６】
2020508766.tif 000121
【図４７】
2020508766.tif 000122
【図４８】
2020508766.tif 000123
【図４９】
2020508766.tif 000124
【図５０】
2020508766.tif 000125
【図５１】
2020508766.tif 000126
【図５２】
2020508766.tif 000127
【図５３】
2020508766.tif 000128
【図５４】
2020508766.tif 000129
【図５５】
2020508766.tif 000130
【図５６】
2020508766.tif 000131
【図５７】
2020508766.tif 000132
【図５８】
2020508766.tif 000133
【図５９】
2020508766.tif 000134
【図６０】
2020508766.tif 000135
【図６１】
2020508766.tif 000136
【図６２】
2020508766.tif 000137
【図６３】
2020508766.tif 000138
【図６４】
2020508766.tif 000139
【図６５】
2020508766.tif 000140
【図６６】
2020508766.tif 000141
【図６７】
2020508766.tif 000142
【図６８】
2020508766.tif 000143
【図６９】
2020508766.tif 000144
【図７０】
2020508766.tif 000145
【図７１】
2020508766.tif 000146
【図７２】
2020508766.tif 000147
【図７３】
2020508766.tif 000148
【図７４Ａ】
2020508766.tif 000149
【図７４Ｂ】
2020508766.tif 000150
【図７５】
2020508766.tif 000151
【図７６】
2020508766.tif 000152
【図７７】
2020508766.tif 000153
【図７８Ａ】
2020508766.tif 000154
【図７８Ｂ】
2020508766.tif 000155
【図７９Ａ】
2020508766.tif 000156
【図７９Ｂ】
2020508766.tif 000157
【国際調査報告】
2020508766.tif 000158
2020508766.tif 000159
2020508766.tif 000160
2020508766.tif 000161
2020508766.tif 000162
2020508766.tif 000163